(57)【特許請求の範囲】
【請求項１】
移動体通信端末と移動体通信システムに属する基地局との間で無線信号を送受信する送受信手段と、
前記移動体通信端末と前記移動体通信システムに属する基地局との間で送受信される無線信号を処理する信号処理手段と、
前記移動体通信端末と前記移動体通信システムに属する基地局との間の伝送路状態に応じて、予め複数定められる、変調方式と誤り訂正符号化率の組み合わせであるMCSのうちいずれか１つに前記移動体通信システムに属する基地局との間で決定し、決定されるMCSを用いて、前記移動体通信端末と前記移動体通信システムに属する基地局との間の通信を制御する通信制御手段と、
前記移動体通信端末が待ち受けている前記移動体通信システムに属する基地局からの無線信号の受信品質を検出する受信品質検出手段と、
前記移動体通信システムに属する基地局が利用する周波数帯域に含まれる各リソースブロックごとに、複数のMCSの中での、前記受信品質検出手段により検出される前記受信品質に基づくMCSのMCSレベルを含むチャネル状態情報を生成する生成手段と、
前記移動体通信端末が前記移動体通信システムに属する基地局に対して待ち受けている場合に、前記生成手段により生成される各リソースブロックごとの前記チャネル状態情報に基づいて、前記移動体通信端末が前記移動体通信システムに属する基地局とデータ通信をする場合における前記移動体通信端末での推定MCSレベルを算出する算出手段と、
前記算出手段により算出される推定MCSレベルを表示する表示手段と、
前記算出手段により過去の所定時間内に算出される推定MCSレベルのうち、最大の推定MCSレベルと最小の推定MCSレベルを記憶する記憶手段と、
前記算出手段により算出される推定MCSレベルが、前記記憶手段により記憶される前記最大の推定MCSレベルよりも大きいか、または前記最小の推定MCSレベルよりも小さいかを判定する判定手段とを備え、
前記算出手段により算出される推定MCSレベルが前記記憶手段により記憶される前記最大の推定MCSレベルよりも大きい場合、前記最大の推定MCSレベルは、前記算出手段により算出される推定MCSレベルに更新され、前記算出手段により算出される推定MCSレベルが前記記憶手段により記憶される前記最小の推定MCSレベルよりも小さい場合、前記最小の推定MCSレベルは、前記算出手段により算出される推定MCSレベルに更新されることを特徴とする移動体通信端末。
【請求項２】
前記記憶手段により記憶される前記最大の推定MCSレベルと前記最小の推定MCSレベルを、前記所定時間ごとに初期化する初期化手段をさらに備えることを特徴とする請求項１に記載の移動体通信端末。
【請求項３】
前記通信制御手段により前記移動体通信システムに属する基地局との間で決定されるMCSに関するMCSレベルと、前記表示手段により表示される推定MCSレベルが異なる場合、前記表示手段により表示される推定MCSレベルを、前記移動体通信システムに属する基地局との間で決定されるMCSに関するMCSレベルに更新する更新手段をさらに備えることを特徴とする請求項１に記載の移動体通信端末。
【請求項４】
前記算出手段は、前記生成手段により生成される各リソースブロックごとの前記チャネル状態情報に含まれる推定MCSレベルの平均値または最大レベルを、前記移動体通信端末が前記移動体通信システムに属する基地局とデータ通信をする場合における前記移動体通信端末での推定MCSレベルとして算出することを特徴とする請求項１に記載の移動体通信端末。
【請求項５】
前記移動体通信端末が前記移動体通信システムに属する基地局とデータ通信をする場合においてデータをダウンロードするときのダウンロードモードを第１のモードまたは第２のモードに設定する設定手段をさらに備えることを特徴とする請求項１に記載の移動体通信端末。
【請求項６】
前記設定手段により設定されるダウンロードモードが前記第１のモードである場合に、前記算出手段により算出される推定MCSレベルが予め設定される基準値以上であるとき、前記通信制御手段は、変調方式と誤り訂正符号化率の組み合わせであるMCSのうちいずれか１つに前記移動体通信システムに属する基地局との間で決定し、決定されるMCSを用いて、データのダウンロードを開始し、前記算出手段により算出される推定MCSレベルが予め設定される基準値以上ではないとき、データのダウンロードを開始しないことを特徴とする請求項５に記載の移動体通信端末。
【請求項７】
前記基準値を、前記算出手段により過去の所定時間内に算出される推定MCSレベルのうち最小の推定MCSレベルよりも少なくとも１段階以上高いMCSレベルに設定する設定手段をさらに備えることを特徴とする請求項６に記載の移動体通信端末。
【請求項８】
移動体通信端末と移動体通信システムに属する基地局との間で無線信号を送受信する送受信手段と、
前記移動体通信端末と前記移動体通信システムに属する基地局との間で送受信される無線信号を処理する信号処理手段と、
前記移動体通信端末と前記移動体通信システムに属する基地局との間の伝送路状態に応じて、予め複数定められる、変調方式と誤り訂正符号化率の組み合わせであるMCSのうちいずれか１つに前記移動体通信システムに属する基地局との間で決定し、決定されるMCSを用いて、前記移動体通信端末と前記移動体通信システムに属する基地局との間の通信を制御する通信制御手段と、
前記移動体通信端末が待ち受けている前記移動体通信システムに属する基地局からの無線信号の受信品質を検出する受信品質検出手段と、
前記移動体通信システムに属する基地局が利用する周波数帯域に含まれる各リソースブロックごとに、複数のMCSの中での、前記受信品質検出手段により検出される前記受信品質に基づくMCSのMCSレベルを含むチャネル状態情報を生成する生成手段と、
前記移動体通信システムに属する基地局からの報知情報または下りリソース割当情報の中から、前記移動体通信システムに属する基地局が利用する周波数帯域幅と、前記移動体通信端末が待ち受けている基地局とデータ通信中またはデータ通信時のネゴシエーション中の他の移動体通信端末の数を検出する検出手段と、
前記検出手段により検出される前記周波数帯域幅と、前記移動体通信端末が待ち受けてる基地局とデータ通信中またはデータ通信時のネゴシエーション中の他の移動体通信端末の数とに基づいて、前記移動体通信システムに属する基地局に関する混雑度を算出する混雑度算出手段と、
前記移動体通信端末が前記移動体通信システムに属する基地局に対して待ち受けている場合に、前記生成手段により生成される各リソースブロックごとの前記チャネル状態情報に基づいて、前記移動体通信端末が前記移動体通信システムに属する基地局とデータ通信をする場合における前記移動体通信端末での推定MCSレベルを算出する推定MCSレベル算出手段と、
前記推定MCSレベル算出手段により算出される推定MCSレベルと、前記混雑度算出手段により算出される前記混雑度とに基づいて、前記移動体通信端末が前記移動体通信システムに属する基地局とデータ通信をする場合における推定伝送速度を算出する推定伝送速度算出手段と、前記推定伝送速度算出手段により算出される推定伝送速度を表示する表示手段と、
前記推定伝送速度算出手段により過去の所定時間内に算出される推定伝送速度のうち、最大の推定伝送速度と最小の推定伝送速度を記憶する記憶手段と、
前記推定伝送速度算出手段により算出される推定伝送速度が、前記記憶手段により記憶される前記最大の推定伝送速度よりも大きいか、または前記最小の推定伝送速度よりも小さいかを判定する判定手段とを備え、
前記推定伝送速度算出手段により算出される推定伝送速度が前記記憶手段により記憶される前記最大の推定伝送速度よりも大きい場合、前記最大の推定伝送速度は、前記推定伝送速度算出手段により算出される推定伝送速度に更新され、前記推定伝送速度算出手段により算出される推定伝送速度が前記記憶手段により記憶される前記最小の推定伝送速度よりも小さい場合、前記最小の推定伝送速度は、前記推定伝送速度算出手段により算出される推定伝送速度に更新されることを特徴とする移動体通信端末。
【請求項９】
前記記憶手段により記憶される前記最大の推定伝送速度と前記最小の推定伝送速度を、前記所定時間ごとに初期化する初期化手段をさらに備えることを特徴とする請求項８に記載の移動体通信端末。
【請求項１０】
前記記憶手段により記憶される前記最大の推定伝送速度と前記最小の推定伝送速度を前記初期化手段によって初期化する前記所定時間を、任意の時間に設定する設定手段をさらに備えることを特徴とする請求項９に記載の移動体通信端末。
【請求項１１】
前記生成手段は、ページング周期またはページング周期の整数倍の周期ごとに、前記移動体通信システムに属する基地局が利用する周波数帯域に含まれる各リソースブロックごとの前記チャネル状態情報を生成することを特徴とする請求項１又は８に記載の移動体通信端末。
【請求項１２】
前記通信制御手段により前記移動体通信システムに属する基地局との間で決定されるMCSに関するMCSレベルと、前記移動体通信システムに属する基地局によって前記移動体通信端末に割り当てられる無線リソース量に基づいて、データ通信時における伝送速度を算出するデータ通信時伝送速度算出手段と、
前記データ通信時伝送速度算出手段により算出されるデータ通信時伝送速度と、前記表示手段により表示される推定伝送速度が異なる場合、前記表示手段により表示される推定伝送速度を、前記データ通信時伝送速度算出手段により算出されるデータ通信時伝送速度に更新する更新手段をさらに備えることを特徴とする請求項８に記載の移動体通信端末。
【請求項１３】
前記推定MCSレベル算出手段は、前記生成手段により生成される各リソースブロックごとの前記チャネル状態情報に含まれるMCSレベルの平均値または最大レベルを、前記移動体通信端末が前記移動体通信システムに属する基地局とデータ通信をする場合における前記移動体通信端末での推定MCSレベルとして算出することを特徴とする請求項８に記載の移動体通信端末。
【請求項１４】
前記検出手段は、前記移動体通信端末が待ち受けている基地局とデータ通信中またはデータ通信時のネゴシエーション中の他の移動体通信端末が使用するMCSレベルを検出し、
前記移動体通信端末は、
前記検出手段により検出される前記他の移動体通信端末が使用するMCSレベルに関する頻度分布を作成する作成手段と、
前記作成手段により作成される前記頻度分布と、前記推定MCSレベル算出手段により算出される推定MCSレベルとに基づいて、前記推定伝送速度算出手段により算出される推定伝送速度を補正する補正係数を算出する補正係数算出手段と、
前記補正係数算出手段により算出される前記補正係数を用いて、前記推定伝送速度算出手段により算出される推定伝送速度を補正する補正手段をさらに備えることを特徴とする請求項８に記載の移動体通信端末。
【請求項１５】
前記移動体通信端末が前記移動体通信システムに属する基地局とデータ通信をする場合においてデータをダウンロードするときのダウンロードモードを第１のモードまたは第２のモードに設定する設定手段をさらに備えることを特徴とする請求項８に記載の移動体通信端末。
【請求項１６】
前記推定伝送速度算出手段により算出される推定伝送速度と、前記移動体通信システムに属する基地局とからダウンロードするデータのコンテンツ容量に基づいて、データをダウンロードするのに要する推定ダウンロード時間を算出する推定ダウンロード時間算出手段をさらに備え、
前記設定手段により設定されるダウンロードモードが前記第１のモードである場合に、前記推定ダウンロード時間算出手段により算出される推定ダウンロード時間が予め設定される基準値以上であるとき、前記通信制御手段は、変調方式と誤り訂正符号化率の組み合わせであるMCSのうちいずれか１つに前記移動体通信システムに属する基地局との間で決定し、決定されるMCSを用いて、データのダウンロードを開始し、前記推定ダウンロード時間算出手段により算出される推定ダウンロード時間が予め設定される基準値以上ではないとき、データのダウンロードを開始しないことを特徴とする請求項１５に記載の移動体通信端末。
【請求項１７】
前記検出手段は、前記移動体通信端末が待ち受けている基地局とデータ通信中またはデータ通信時のネゴシエーション中の他の移動体通信端末が使用するMCSレベルを検出し、
前記移動体通信端末は、
前記検出手段により検出される前記他の移動体通信端末が使用するMCSレベルに関する頻度分布を作成する作成手段と、
前記作成手段により作成される前記頻度分布と、前記推定MCSレベル算出手段により算出される推定MCSレベルとに基づいて、前記推定伝送速度を補正する補正係数を算出する補正係数算出手段と、
前記補正係数算出手段により算出される前記補正係数を用いて、前記推定伝送速度算出
手段により算出される前記推定伝送速度を補正する補正手段と、
前記補正手段により補正される前記推定伝送速度と、前記移動体通信システムに属する基地局とからダウンロードするデータのコンテンツ容量に基づいて、データをダウンロードするのに要する推定ダウンロード時間を算出する推定ダウンロード時間算出手段とをさらに備え、
前記設定手段により設定されるダウンロードモードが前記第１のモードである場合に、前記推定ダウンロード時間算出手段により算出される推定ダウンロード時間が予め設定さる基準値以上であるとき、前記通信制御手段は、変調方式と誤り訂正符号化率の組み合わせであるMCSのうちいずれか１つに前記移動体通信システムに属する基地局との間で決定し、決定されるMCSを用いて、データのダウンロードを開始し、前記推定ダウンロード時間算出手段により算出される推定ダウンロード時間が予め設定される基準値以上ではないとき、データのダウンロードを開始しないことを特徴とする請求項１５に記載の移動体通信端末。
【請求項１８】
前記移動体通信システムに属する基地局からの受信信号の信号強度を測定する受信信号強度測定手段と、
前記受信信号強度測定手段により測定される受信信号の信号強度に基づいて、前記基準値を設定する設定手段とをさらに備えることを特徴とする請求項１６又は１７に記載の移動体通信端末。
【請求項１９】
前記移動体通信システムに属する基地局の切り替えの頻度または基地局探索の頻度を計数する計数手段と、
前記計数手段により計数される前記基地局の切り替えの頻度または基地局探索の頻度に基づいて、前記基準値を設定する設定手段をさらに備えることを特徴とする請求項１６又は１７に記載の移動体通信端末。
【請求項２０】
移動体通信端末と移動体通信システムに属する基地局との間で無線信号を送受信する送受信ステップと、
前記移動体通信端末と前記移動体通信システムに属する基地局との間で送受信される無線信号を処理する信号処理ステップと、
前記移動体通信端末と前記移動体通信システムに属する基地局との間の伝送路状態に応じて、予め複数定められる、変調方式と誤り訂正符号化率の組み合わせであるMCSのうちいずれか１つに前記移動体通信システムに属する基地局との間で決定し、決定されるMCSを用いて、前記移動体通信端末と前記移動体通信システムに属する基地局との間の通信を制御する通信制御ステップと、
前記移動体通信端末が待ち受けている前記移動体通信システムに属する基地局からの無線信号の受信品質を検出する受信品質検出ステップと、
前記移動体通信システムに属する基地局が利用する周波数帯域に含まれる各リソースブロックごとに、複数のMCSの中での、前記受信品質検出ステップの処理により検出される前記受信品質に基づくMCSのMCSレベルを含むチャネル状態情報を生成する生成ステップと、
前記移動体通信端末が前記移動体通信システムに属する基地局に対して待ち受けている場合に、前記生成ステップの処理により生成される各リソースブロックごとの前記チャネル状態情報に基づいて、前記移動体通信端末が前記移動体通信システムに属する基地局とデータ通信をする場合における前記移動体通信端末での推定MCSレベルを算出する算出ステップと、
前記算出ステップの処理により算出される推定MCSレベルを表示する表示ステップと、
前記算出ステップにより過去の所定時間内に算出される推定MCSレベルのうち、最大の推定MCSレベルと最小の推定MCSレベルを記憶する記憶ステップと、
前記算出ステップにより算出される推定MCSレベルが、前記記憶ステップにより記憶される前記最大の推定MCSレベルよりも大きいか、または前記最小の推定MCSレベルよりも小さいかを判定する判定ステップとを含み、
前記算出ステップにより算出される推定MCSレベルが前記記憶ステップにより記憶される前記最大の推定MCSレベルよりも大きい場合、前記最大の推定MCSレベルは、前記算出ステップにより算出される推定MCSレベルに更新され、前記算出ステップにより算出される推定MCSレベルが前記記憶ステップにより記憶される前記最小の推定MCSレベルよりも小さい場合、前記最小の推定MCSレベルは、前記算出ステップにより算出される推定MCSレベルに更新されることを特徴とする通信品質表示方法。
【請求項２１】
移動体通信端末と移動体通信システムに属する基地局との間で無線信号を送受信する送受信ステップと、
前記移動体通信端末と前記移動体通信システムに属する基地局との間で送受信される無線信号を処理する信号処理ステップと、
前記移動体通信端末と前記移動体通信システムに属する基地局との間の伝送路状態に応じて、予め複数定められる、変調方式と誤り訂正符号化率の組み合わせであるMCSのうちいずれか１つに前記移動体通信システムに属する基地局との間で決定し、決定されるMCSを用いて、前記移動体通信端末と前記移動体通信システムに属する基地局との間の通信を制御する通信制御ステップと、
前記移動体通信端末が待ち受けている前記移動体通信システムに属する基地局からの無線信号の受信品質を検出する受信品質検出ステップと、
前記移動体通信システムに属する基地局が利用する周波数帯域に含まれる各リソースブ
ロックごとに、複数のMCSの中での、前記受信品質検出ステップの処理により検出される前記受信品質に基づくMCSのMCSレベルを含むチャネル状態情報を生成する生成ステップと、
前記移動体通信システムに属する基地局からの報知情報または下りリソース割当情報の中から、前記移動体通信システムに属する基地局が利用する周波数帯域幅と、前記移動体通信端末が待ち受けている基地局とデータ通信中またはデータ通信時のネゴシエーション中の他の移動体通信端末の数を検出する検出ステップと、
前記検出ステップの処理により検出される前記周波数帯域幅と、前記移動体通信端末が待ち受けている基地局とデータ通信中またはデータ通信時のネゴシエーション中の他の移動体通信端末の数とに基づいて、前記移動体通信システムに属する基地局に関する混雑度を算出する混雑度算出ステップと、
前記移動体通信端末が前記移動体通信システムに属する基地局に対して待ち受けている場合に、前記生成ステップの処理により生成される各リソースブロックごとの前記チャネル状態情報に基づいて、前記移動体通信端末が前記移動体通信システムに属する基地局とデータ通信をする場合における前記移動体通信端末での推定MCSレベルを算出する推定MCSレベル算出ステップと、
前記推定MCSレベル算出ステップの処理により算出される推定MCSレベルと、前記混雑度算出ステップにより算出される前記混雑度とに基づいて、前記移動体通信端末が前記移動体通信システムに属する基地局とデータ通信をする場合における推定伝送速度を算出する推定伝送速度算出ステップと、
前記推定伝送速度算出ステップの処理により算出される推定伝送速度を表示する表示ステップと、
前記推定伝送速度算出ステップにより過去の所定時間内に算出される推定伝送速度のうち、最大の推定伝送速度と最小の推定伝送速度を記憶する記憶ステップと、
前記推定伝送速度算出ステップにより算出される推定伝送速度が、前記記憶ステップにより記憶される前記最大の推定伝送速度よりも大きいか、または前記最小の推定伝送速度よりも小さいかを判定する判定ステップとを含み、
前記推定伝送速度算出ステップにより算出される推定伝送速度が前記記憶ステップにより記憶される前記最大の推定伝送速度よりも大きい場合、前記最大の推定伝送速度は、前記推定伝送速度算出ステップにより算出される推定伝送速度に更新され、前記推定伝送速度算出ステップにより算出される推定伝送速度が前記記憶ステップにより記憶される前記最小の推定伝送速度よりも小さい場合、前記最小の推定伝送速度は、前記推定伝送速度算出ステップにより算出される推定伝送速度に更新されることを特徴とする通信品質表示方法。
【発明の詳細な説明】
【技術分野】
【０００１】
本発明は移動体通信端末および通信品質表示方法に係り、特に、変調方式および誤り訂正符号化率の適応制御することができるようにした移動体通信端末および通信品質表示方法に関する。
【背景技術】
【０００２】
近年、移動体通信端末における無線通信の伝送速度は高速化してきており、伝送速度の高速化に伴い、ユーザが移動体通信端末を用いて利用するデータ容量も大容量化している。また、ＨＳＤＰＡ（High Speed Downlink Packet Access）などの第３．５世代（「3.5G」と呼ばれる）の通信方式以降、移動体通信端末を構成要素に含む移動体通信システムは、適応変復調符号化（ＡＭＣ：Adaptive Modulation and Channel Coding）方式を採用することで、伝送レートの高速化や高品質化を図っている。このＡＭＣ（適応変復調符号化）技術は、伝搬環境に応じて最適な変調方式とチャネル符号化率（誤り訂正符号化率）の組み合わせを選択する適応リンク制御に関する技術であり、例えば非特許文献１に記載されている。ＡＭＣは、ＬＴＥ（Long Term Evolution）と呼ばれる、最大データレートが１００［Ｍｂｐｓ］を超えるデータレート（伝送速度）を実現する次世代の移動体通信システムの規格(例えば非特許文献２参照)においても採用が決定している。
【０００３】
図１は、従来の移動体通信システムに採用されるＡＭＣ（適応変復調符号化）方式を説明するための概念図である。ここで、移動体通信システムがＬＴＥシステムである場合、ＰＤＳＣＨ（Physical Downlink Shared Channel；下りリンク共通チャネル）は、スケジューラによる割り当てに基づいて複数のユーザ（ユーザの移動体通信端末）で共通して用いられるユーザデータや、１セルに閉じたマルチキャストデータ、および上位レイヤの制御情報の伝送に用いられる物理チャネルである。このＰＤＳＣＨには、ＡＭＣに基づく適応リンク制御技術が適用される。すなわち、ＰＤＳＣＨには、ＱＰＳＫ（Quadrature Phase Shift Keying）、１６ＱＡＭ（Quadrature Amplitude Modulation）、および６４ＱＡＭの３つの変調方式が適用可能であり、ＣＱＩ（Channel Quality Indicator）に基づいて変調方式が選択される。チャネル状態を示す値が基準値よりも高くチャネル状態が良好である場合には、ＡＭＣによって１６ＱＡＭや６４ＱＡＭを用いた高速伝送に変調方式が切り替えられ、チャネル状態を示す値が基準値よりも低くチャネル状態が悪い場合には、ＡＭＣによってＱＰＳＫを用いた高信頼度伝送に変調方式が切り替えられる。以下、図１を用いて、ＡＭＣ方式の具体的な内容について説明する。
【０００４】
図１の場合、基地局１の周囲には移動体通信端末２−１と２−２が存在し、移動体通信端末２−１は基地局１から距離Ｄ１の地点に位置し、移動体通信端末２−２は基地局１から距離Ｄ２の地点に位置し、距離Ｄ２が距離Ｄ１よりも大きいことから移動体通信端末２−１は移動体通信端末２−２に比べて基地局１に近い地点に位置するものとする。
【０００５】
一般に、基地局１からの送信電力が一定であったとすると、基地局１に相対的に近い移動体通信端末２−１は、基地局１から相対的に遠い移動体通信端末２−２よりも大きな電力で基地局１からの無線信号を受信することができる。従って、移動体通信端末２−１の場合、移動体通信端末２−１に対するチャネル状態を示す値は基準値よりも高くチャネル状態（伝送路状態）が良好であることが推定されるので、変調多値数及びチャネル符号化率（誤り訂正符号化率）に大きな値が採用され、例えば変調方式に誤り耐性の低い１６ＱＡＭや６４ＱＡＭなどが用いられるとともにチャネル符号化率Ｒに例えば３／４が用いられることにより伝送方法が高速伝送に切替えられる。これに対して、移動体通信端末２−２は、移動体通信端末２−１よりも小さな電力でしか基地局１からの無線信号を受信することができない。従って、移動体通信端末２−２に対するチャネル状態を示す値は基準値よりも低くチャネル状態は悪いことが推定されるので、変調多値数及び符号化率に小さな値が採用され、例えば変調方式に誤り耐性の高いＱＰＳＫなどが用いられるとともにチャネル符号化率Ｒに例えば１／３が用いられることにより伝送方法が低速伝送（高信頼度伝送）に切替えられる。そのため、ユーザが伝送効率の良い環境でデータ通信を行うことができれば、データ通信に伴う通信時間が大幅に短縮され移動体通信端末において低消費電力化を図ることが可能となる。
【０００６】
しかし、現在、実運用されている3.5Gの移動体通信システムを利用した移動体通信端末が移動体通信端末に対するチャネル状態を表示する場合、一般的に、移動体通信端末は、RSSI（Received Signal Strength Indicator）を用いた４段階程度のインジケータを用いて受信信号の信号強度のみを表示する。図２は、RSSIを用いた４段階程度のインジケータを用いた従来の受信信号の信号強度の表示方法を示している。
【０００７】
図３は、従来の移動体通信端末２の構成を表している。適応変復調符号化技術を採用する移動体通信システムでは、一般的に通信サービスは、サービスの品質保証のないベストエフォート型でサービスされる。そのため、移動局である従来の移動体通信端末２は、受信品質の最も良好な基地局１を選択し、移動体通信端末２のＳＩＮＲ（Signal-to-interference-plus-Noise Ratio；信号対干渉・雑音比）測定部２５を用いてその無線伝送路品質を測定する。そして、従来の移動体通信端末２のＣＱＩ（Channel Quality Indicator）情報生成部２６は、その測定結果に基づいて、受信可能な伝送フォーマット（変調方式とチャネル符号化率の組合せ）を決定する。そして、従来の移動体通信端末２は、送信信号処理部２８と無線部１２を制御し、ＣＱＩ情報生成部２６が決定した伝送フォーマットをチャネル状態情報（ＣＱＩ情報：Channel Quality Indicator情報）として基地局１に対してレポートする。基地局は、当該移動局からのチャネル状態情報に関するレポートに基づいて、当該移動局に対して送信するデータの変調方式とチャネル符号化率の組み合わせ(MCS：Modulation and Channel Coding Scheme)を切り替える。これにより、適応変復調符号化技術を採用する移動体通信システムは、当該移動局である移動体通信端末２での受信状態が基準値よりも良好な場合は誤り耐性が低いが高速なデータ伝送レートを使用する一方、移動体通信端末２での受信状態が基準値よりも劣化している場合は低速だが誤り耐性の高いデータ伝送レートを使用して個別情報チャネルで伝送情報を送受信することが可能となる。
【０００８】
無線伝送路品質を示す値の代表例は、受信信号のＳＩＲ（Signal to  Interference power Ratio）やＳＩＮＲ(Signal to Interference plus Noise power Ratio)等である。移動体通信端末が待ち受け中である場合には、移動体通信端末は基地局１に対してＣＱＩ情報送信を行う必要が無い。そのため、移動体通信端末が待ち受け中である場合には、移動体通信端末は、通常ＣＱＩ情報生成処理まで行わない。
【０００９】
図４は、無線伝送路品質とＣＱＩ Indexとの対応関係を示している。図４の場合、無線伝送品質を示す値は受信信号のＳＩＮＲであり、ＳＩＮＲ［ｄＢ］の範囲（ＣＱＩの範囲）ごとにＣＱＩ indexが対応付けられている。具体的には、ＳＩＮＲ［ｄＢ］が５．０乃至６．０である範囲にはＣＱＩ index１が対応付けられており、ＳＩＮＲ［ｄＢ］が６．０乃至７．０である範囲にはＣＱＩ index２が対応付けられている。図５は、ＣＱＩ IndexとMCSとの対応関係を示している。具体的には、ＣＱＩ index１には、変調方式（modulation）としてＱＰＳＫが対応付けられており、チャネル符号化率（誤り訂正符号化率；code rate）として７８／１０２４が対応付けられており、伝送効率（efficiency）として０．１５２３が対応付けられている。なお、伝送効率は、チャネル符号化率に変調多値数Ｍを乗じた値である。変調方式が６４ＱＡＭである場合、変調多値数Ｍは６ビットとなり、変調方式がＱＰＳＫである場合、変調多値数Ｍは２ビットとなる。フェージングやマルチパス環境などのチャネル状態（伝送路状態）に応じて、図５に示されるＣＱＩ indexとMCSとの対応は基地局側、または移動局側で更新され、各移動局に対してそれぞれ最適化される。ＬＴＥシステムでは１６段階のMCSレベルが定められており、ＣＱＩ index１に対応するMCSレベル１での伝送効率と、ＣＱＩ index１５に対応するMCSレベル１５での伝送効率とを比較した場合、およそ３７倍もの差（５．５５４７／０．１５２３＝３６．４７…）が生じる。
【００１０】
また、ＬＴＥシステム等で利用されているＯＦＤＭシステムは、多数のサブキャリアを同時に使用して通信を行う。この際、LTEシステム等で利用されているＯＦＤＭシステムは、サブキャリアごとに別々の移動体通信端末に対してデータ信号を割り当てることができる。ＬＴＥシステム等で利用されているＯＦＤＭシステムは、各移動体通信端末に対して特定の周波数を割り当てる点では従来のＦＤＭシステムに似ている。しかし、LTEシステム等で利用されているＯＦＤＭシステムは、従来のＦＤＭシステムと比較すると、各移動体通信端末がＯＦＤＭの全サブキャリアを同時に受信してＯＦＤＭ信号の受信処理を行って受信対象となるサブキャリアを取り出すという大きな相違点がある。非特許文献２では、サブキャリアをグループ化したものをRB(Resorce Block)と名付け、RB単位に移動体通信端末に無線リソースを割り当てる技術が開示されている。すなわち、ＬＴＥシステムの場合、ローカライズド送信型の無線リソース割り当てを効率よく行うため、連続するサブキャリア（例えば１２サブキャリア）をブロック化してRB（リソースブロック）と呼ばれる無線リソース割り当ての最小単位が定義される。図６は、ＯＦＤＭ信号が（ｎ×ｍ）サブキャリアから構成され、ｍサブキャリアからなるｎRBにグループ化している様子を示している。図６の場合、RB１のグループに設定された複数のサブキャリア群をユーザａが使用し、RB２のグループに設定された複数のサブキャリア群をユーザｂが使用する。以下、同様である。勿論、１人のユーザが複数のRBを使用することも可能である。そのため、移動体通信端末が各帯域（RB）に対して無線伝送路品質を測定し、無線伝送路品質の測定結果をチャネル状態情報（ＣＱＩ情報）として基地局１に伝送する。基地局１は、伝送情報をのせる個別情報チャネルに対してデータを送信する移動体通信端末を決定し、伝送フォーマットと使用する帯域（RB）を選択する。このユーザ選択に関して上述のような適応変調を行ことにより高速データ通信を行う移動体通信システムのサービス形態は、一般的にベストエフォート型のサービスである。図７は、適応変調を行う際における、基地局１と移動体通信端末の送信タイミングを示す図である。ＣＱＩ時間領域で移動体通信端末がＣＱＩを基地局１に対して送信する。基地局１は、ユーザ選択時間領域で周波数リソースに対して割り当てる移動体通信端末を決定し、制御チャネル時間領域で個別情報のチャネルのユーザ情報及び伝送フォーマット情報と使用する帯域情報を移動体通信端末に対して送信する。移動体通信端末は、この制御チャネルにのせられた情報に基づいて、基地局１からの個別情報チャネルを受信する。
【先行技術文献】
【非特許文献】
【００１１】
【非特許文献１】T.Ue,S.Aampei，N.Morinaga  and  K.Hamaguchi，"Symbol  Rate  and  Modulation  Levelel−Controlled  Adaptive  Modulation／TDMA／TDD  System  for  High−Bit−Rate  Wireless  Data  Transmission"，IEEE  Trans．VT，pp．1134-1147，vol．47，No．4,Nov．1998
【非特許文献２】3GPP TS 36.213 V8.7.0 (2009-05)
【発明の概要】
【発明が解決しようとする課題】
【００１２】
しかしながら、現在実運用されている3.5Gの移動体通信システムを利用した移動体通信端末が移動体通信端末に対するチャネル状態を表示する場合、図２が示すように、移動体通信端末は、RSSIを用いた４段階程度のインジケータを用いて受信信号の信号強度のみを表示する。これは、ＡＭＣが用いられる以前からの表示方法であり、実際の伝送レートを直接的に表示するものではなく、セル境界の様に極端に受信品質の悪い場所においてのみ受信品質の劣化を読み取ることができるようになっている。そのため、ユーザは、４段階程度のインジケータを用いて受信信号の信号強度のみの表示の場合には大半のエリアで受信品質が良いと表示されているために、実際の伝送レートを知ることができないという課題があった。
【００１３】
本発明は、このような状況に鑑みてなされたものであり、待ち受け中においてもＣＱＩ測定を実施し、通信品質を好適に表示し、ユーザに通信品質が良好な場所にて無線通信を行うよう促し、端末の低消費電力化及びセクタスループットを向上させることすることができる移動体通信端末および通信品質表示方法を提供することを目的とする。
【課題を解決するための手段】
【００１４】
本発明の移動体通信端末は、上述した課題を解決するために、移動体通信端末と移動体通信システムに属する基地局との間で無線信号を送受信する送受信手段と、移動体通信端末と移動体通信システムに属する基地局との間で送受信される無線信号を処理する信号処理手段と、移動体通信端末と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末と移動体通信システムに属する基地局との間の通信を制御する通信制御手段と、移動体通信端末が待ち受けている移動体通信システムに属する基地局からの無線信号の受信品質を検出する受信品質検出手段と、移動体通信システムに属する基地局が利用する周波数帯域に含まれる各リソースブロックごとに、複数のMCSの中での、受信品質検出手段により検出される受信品質に基づくMCSのMCSレベルを含むチャネル状態情報を生成する生成手段と、移動体通信端末が移動体通信システムに属する基地局に対して待ち受けている場合に、生成手段により生成される各リソースブロックごとのチャネル状態情報に基づいて、移動体通信端末が移動体通信システムに属する基地局とデータ通信をする場合における移動体通信端末での推定MCSレベルを算出する算出手段と、算出手段により算出される推定MCSレベルを表示する表示手段と、前記算出手段により過去の所定時間内に算出される推定MCSレベルのうち、最大の推定MCSレベルと最小の推定MCSレベルを記憶する記憶手段と、前記算出手段により算出される推定MCSレベルが、前記記憶手段により記憶される前記最大の推定MCSレベルよりも大きいか、または前記最小の推定MCSレベルよりも小さいかを判定する判定手段とを備え、前記算出手段により算出される推定MCSレベルが前記記憶手段により記憶される前記最大の推定MCSレベルよりも大きい場合、前記最大の推定MCSレベルは、前記算出手段により算出される推定MCSレベルに更新され、前記算出手段により算出される推定MCSレベルが前記記憶手段により記憶される前記最小の推定MCSレベルよりも小さい場合、前記最小の推定MCSレベルは、前記算出手段により算出される推定MCSレベルに更新されることを特徴とする。
【００１５】
本発明の移動体通信端末は、上述した課題を解決するために、移動体通信端末と移動体通信システムに属する基地局との間で無線信号を送受信する送受信手段と、移動体通信端末と移動体通信システムに属する基地局との間で送受信される無線信号を処理する信号処理手段と、移動体通信端末と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末と移動体通信システムに属する基地局との間の通信を制御する通信制御手段と、移動体通信端末が待ち受けている移動体通信システムに属する基地局からの無線信号の受信品質を検出する受信品質検出手段と、移動体通信システムに属する基地局が利用する周波数帯域に含まれる各リソースブロックごとに、複数のMCSの中での、受信品質検出手段により検出される受信品質に基づくMCSのMCSレベルを含むチャネル状態情報を生成する生成手段と、移動体通信システムに属する基地局からの報知情報または下りリソース割当情報の中から、移動体通信システムに属する基地局が利用する周波数帯域幅と、移動体通信端末が待ち受けている基地局とデータ通信中またはデータ通信時のネゴシエーション中の他の移動体通信端末の数を検出する検出手段と、検出手段により検出される周波数帯域幅と、移動体通信端末が待ち受けている基地局とデータ通信中またはデータ通信時のネゴシエーション中の他の移動体通信端末の数とに基づいて、移動体通信システムに属する基地局に関する混雑度を算出する混雑度算出手段と、移動体通信端末が移動体通信システムに属する基地局に対して待ち受けている場合に、生成手段により生成される各リソースブロックごとのチャネル状態情報に基づいて、移動体通信端末が移動体通信システムに属する基地局とデータ通信をする場合における移動体通信端末での推定MCSレベルを算出する推定MCSレベル算出手段と、推定MCSレベル算出手段により算出される推定MCSレベルと、混雑度算出手段により算出される混雑度とに基づいて、移動体通信端末が移動体通信システムに属する基地局とデータ通信をする場合における推定伝送速度を算出する推定伝送速度算出手段と、推定伝送速度算出手段により算出される推定伝送速度を表示する表示手段と、前記推定伝送速度算出手段により過去の所定時間内に算出される推定伝送速度のうち、最大の推定伝送速度と最小の推定伝送速度を記憶する記憶手段と、前記推定伝送速度算出手段により算出される推定伝送速度が、前記記憶手段により記憶される前記最大の推定伝送速度よりも大きいか、または前記最小の推定伝送速度よりも小さいかを判定する判定手段とを備え、前記推定伝送速度算出手段により算出される推定伝送速度が前記記憶手段により記憶される前記最大の推定伝送速度よりも大きい場合、前記最大の推定伝送速度は、前記推定伝送速度算出手段により算出される推定伝送速度に更新され、前記推定伝送速度算出手段により算出される推定伝送速度が前記記憶手段により記憶される前記最小の推定伝送速度よりも小さい場合、前記最小の推定伝送速度は、前記推定伝送速度算出手段により算出される推定伝送速度に更新されることを特徴とする。
【００１６】
本発明の通信品質表示方法は、上述した課題を解決するために、移動体通信端末と移動体通信システムに属する基地局との間で無線信号を送受信する送受信ステップと、移動体通信端末と移動体通信システムに属する基地局との間で送受信される無線信号を処理する信号処理ステップと、移動体通信端末と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末と移動体通信システムに属する基地局との間の通信を制御する通信制御ステップと、移動体通信端末が待ち受けている移動体通信システムに属する基地局からの無線信号の受信品質を検出する受信品質検出ステップと、移動体通信システムに属する基地局が利用する周波数帯域に含まれる各リソースブロックごとに、複数のMCSの中での、受信品質検出ステップの処理により検出される受信品質に基づくMCSのMCSレベルを含むチャネル状態情報を生成する生成ステップと、移動体通信端末が移動体通信システムに属する基地局に対して待ち受けている場合に、生成ステップの処理により生成される各リソースブロックごとのチャネル状態情報に基づいて、移動体通信端末が移動体通信システムに属する基地局とデータ通信をする場合における移動体通信端末での推定MCSレベルを算出する算出ステップと、算出ステップの処理により算出される推定MCSレベルを表示する表示ステップと、前記算出ステップにより過去の所定時間内に算出される推定MCSレベルのうち、最大の推定MCSレベルと最小の推定MCSレベルを記憶する記憶ステップと、前記算出ステップにより算出される推定MCSレベルが、前記記憶ステップにより記憶される前記最大の推定MCSレベルよりも大きいか、または前記最小の推定MCSレベルよりも小さいかを判定する判定ステップとを含み、前記算出ステップにより算出される推定MCSレベルが前記記憶ステップにより記憶される前記最大の推定MCSレベルよりも大きい場合、前記最大の推定MCSレベルは、前記算出ステップにより算出される推定MCSレベルに更新され、前記算出ステップにより算出される推定MCSレベルが前記記憶ステップにより記憶される前記最小の推定MCSレベルよりも小さい場合、前記最小の推定MCSレベルは、前記算出ステップにより算出される推定MCSレベルに更新されることを特徴とする。
【００１７】
本発明の通信品質表示方法は、上述した課題を解決するために、移動体通信端末と移動体通信システムに属する基地局との間で無線信号を送受信する送受信ステップと、移動体通信端末と移動体通信システムに属する基地局との間で送受信される無線信号を処理する信号処理ステップと、移動体通信端末と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末と移動体通信システムに属する基地局との間の通信を制御する通信制御ステップと、移動体通信端末が待ち受けている移動体通信システムに属する基地局からの無線信号の受信品質を検出する受信品質検出ステップと、移動体通信システムに属する基地局が利用する周波数帯域に含まれる各リソースブロックごとに、複数のMCSの中での、受信品質検出ステップの処理により検出される受信品質に基づくMCSのMCSレベルを含むチャネル状態情報を生成する生成ステップと、移動体通信システムに属する基地局からの報知情報または下りリソース割当情報の中から、移動体通信システムに属する基地局が利用する周波数帯域幅と、移動体通信端末が待ち受けている基地局とデータ通信中またはデータ通信時のネゴシエーション中の他の移動体通信端末の数を検出する検出ステップと、検出ステップの処理により検出される周波数帯域幅と、移動体通信端末が待ち受けている基地局とデータ通信中またはデータ通信時のネゴシエーション中の他の移動体通信端末の数とに基づいて、移動体通信システムに属する基地局に関する混雑度を算出する混雑度算出ステップと、移動体通信端末が移動体通信システムに属する基地局に対して待ち受けている場合に、生成ステップの処理により生成される各リソースブロックごとのチャネル状態情報に基づいて、移動体通信端末が移動体通信システムに属する基地局とデータ通信をする場合における移動体通信端末での推定MCSレベルを算出する推定MCSレベル算出ステップと、推定MCSレベル算出ステップの処理により算出される推定MCSレベルと、混雑度算出ステップにより算出される混雑度とに基づいて、移動体通信端末が移動体通信システムに属する基地局とデータ通信をする場合における推定伝送速度を算出する推定伝送速度算出ステップと、推定伝送速度算出ステップの処理により算出される推定伝送速度を表示する表示ステップと、前記推定伝送速度算出ステップにより過去の所定時間内に算出される推定伝送速度のうち、最大の推定伝送速度と最小の推定伝送速度を記憶する記憶ステップと、前記推定伝送速度算出ステップにより算出される推定伝送速度が、前記記憶ステップにより記憶される前記最大の推定伝送速度よりも大きいか、または前記最小の推定伝送速度よりも小さいかを判定する判定ステップとを含み、前記推定伝送速度算出ステップにより算出される推定伝送速度が前記記憶ステップにより記憶される前記最大の推定伝送速度よりも大きい場合、前記最大の推定伝送速度は、前記推定伝送速度算出ステップにより算出される推定伝送速度に更新され、前記推定伝送速度算出ステップにより算出される推定伝送速度が前記記憶ステップにより記憶される前記最小の推定伝送速度よりも小さい場合、前記最小の推定伝送速度は、前記推定伝送速度算出ステップにより算出される推定伝送速度に更新されることを特徴とする。
【発明の効果】
【００１８】
本発明によれば、待ち受け中においてもＣＱＩ測定を実施し、通信品質を好適に表示し、ユーザに通信品質が良好な場所にて無線通信を行うよう促し、端末の低消費電力化及びセクタスループットを向上させることすることができる。
【図面の簡単な説明】
【００１９】
【図１】従来の移動体通信システムに採用されるＡＭＣ（適応変復調符号化）方式を説明するための概念図。
【図２】RSSIを用いた４段階程度のインジケータを用いた従来の受信信号の信号強度の表示方法を示す図。
【図３】従来の移動体通信端末の構成を示すブロック図。
【図４】無線伝送路品質とＣＱＩとの対応関係を示す図。
【図５】CQI IndexとMCSとの対応関係を示す図。
【図６】ＯＦＤＭ信号が（ｎ×ｍ）サブキャリアから構成され、ｍサブキャリアからなるｎRBにグループ化している様子を示す図。
【図７】適応変調を行う際における、基地局と移動体通信端末の送信タイミングを示す図。
【図８】本発明の第１実施形態に係る移動体通信端末の構成を示すブロック図。
【図９】図８の移動体通信端末におけるMCSレベル表示制御処理を説明するフローチャート。
【図１０】移動体通信システムに属する基地局が利用する周波数帯域に関する推定MCSレベルの算出方法の一例を示す図。
【図１１】表示部が表示する現在の推定MCSレベルと推定MCSレベルに関するＭｉｎ値とＭａｘ値を示す図。
【図１２】システム帯域幅Fwとユーザ数Nと予測される伝送レートとの関係を示す図。
【図１３】本発明の第２実施形態に係る移動体通信端末の内部の構成を示すブロック図
【図１４】図１３の移動体通信端末における伝送レート表示制御処理を説明するフローチャート。
【図１５】図１３の移動体通信端末における伝送レート表示制御処理を説明するフローチャート。
【図１６】表示部が表示する現在の推定伝送レートと推定伝送レートに関するＭｉｎ値とＭａｘ値を示す図。
【図１７】図１３の移動体通信端末における伝送レート表示制御処理を説明するフローチャート。
【図１８】図１３の移動体通信端末における伝送レート表示制御処理を説明するフローチャート。
【図１９】（Ａ）と（Ｂ）は、他の移動体通信端末に関するMCSレベルのヒストグラムを示す図。
【図２０】移動体通信端末がダウンロードに関して選択可能なモードを示す図。
【図２１】図８または図１３の移動体通信端末におけるダウンロードモード設定処理を説明するフローチャート。
【図２２】図８の移動体通信端末におけるデータダウンロード制御処理を説明するフローチャート。
【図２３】図１３の移動体通信端末におけるデータダウンロード制御処理を説明するフローチャート。
【図２４】基地局のカバーエリアサイズに応じて推定ダウンロード時間に関する基準値を設定する設定方法を説明する説明図。
【図２５】ハンドオーバーの単位時間あたりの回数に応じて推定ダウンロード時間に関する基準値を設定する設定方法を説明する説明図。
【図２６】本発明の第４実施形態に係る移動体通信端末の内部の構成を示すブロック図。
【図２７】図２６の移動体通信端末における通信品質ＭＡＰ表示処理を説明するフローチャート。
【図２８】制御部が作成する通信品質ＭＡＰを示す図。
【発明を実施するための形態】
【００２０】
以下、本発明の実施の形態について、図面を参照しながら説明する。
【００２１】
［第１実施形態］
図８は、本発明の第１実施形態に係る移動体通信端末１０１の構成を表している。図８が示すように、移動体通信端末１０１は、送受信アンテナ１１１、無線部１１２、受信信号処理部１１３、受信データ処理部１１４、ＰＣＭコーデック１１５、受話増幅器１１６、レシーバ１１７、送話増幅器１１８、マイクロフォン１１９、制御部１２０、ＲＳＳＩ（Received Signal Strength Indicator）測定部１２１、操作部１２２、表示部１２３、記憶部１２４、ＳＩＮＲ（Signal-to-interference-plus-Noise Ratio；信号対干渉・雑音比）測定部１２５、ＣＱＩ（Channel Quality Indicator）情報生成部１２６、ＣＱＩ情報制御部１２７、ＣＱＩ情報記憶部１２８、送信データ処理部１２９、および送信信号処理部１３０を備える。
【００２２】
送受信アンテナ１１１は、移動体通信端末１０１が対応する移動体通信システムの電波を送波し、または、移動体通信端末１が対応する移動体通信システムの電波を受波する。図示せぬ送受信共用器は、サーキュレータやデュプレクサなどからなり、送受信アンテナ１１１で受波（受信）された電波を無線部１１２に送る。また、送受信共用器は、無線部１１２から入力された信号を送受信アンテナ１１１へ送る。無線受信部１１２は、帯域通過フィルタ、利得調整回路、およびＡ／Ｄ変換器などを備え、制御部１２０から指示されるキャリア周波数の無線信号を受信し、周波数シンセサイザから出力された局部発振信号とミキシングして中間周波数信号に周波数変換（ダウンコンバート）し、ダウンコンバートされた中間周波数信号を直交復調して受信ベースバンド信号を生成する。無線受信部１１２の帯域通過フィルタは、移動体通信システムに属する基地局から送信される無線信号を受信し、この受信した信号から所望帯域外の雑音を除去する。また、無線受信部１１２の利得調整回路は、利得調整回路の後段に設けられるＡ／Ｄ変換器が扱える信号振幅に調整する。無線受信部１１２のＡ／Ｄ変換器は、帯域通過フィルタを通過した信号をベースバンドのディジタル信号に変換する。
【００２３】
受信信号処理部１１３は、無線受信部１１２から出力された受信ベースバンド信号（受信ベースバンドディジタル信号）を、移動体通信端末１０１が接続する移動体通信システムに合わせてベースバンド処理を行う。受信信号処理部１１３は、復調部１３１、レート変換部１３２、復号部１３３、および誤り検出部１３４を備える。
【００２４】
復調部１３１は、ＦＦＴ部（時間・周波数変換回路）、周波数チャネル分離部、デスクランブリング部、チャネル推定部、およびチャネル等化部を備え、ＯＦＤＭによるマルチキャリア復調を行う。具体的には、ベースバンドディジタル信号は、図示せぬＧＩ除去部によってガードインターバルが除去された後、ＦＦＴ部（高速フーリエ変換部、すなわち、時間・周波数変換回路）により時間領域の信号から周波数領域の信号、すなわちサブキャリア毎の信号に分割される。ＦＦＴ部は、サブキャリア毎に分割された出力信号を周波数チャネル分離部に出力する。周波数チャネル分離部は、サブキャリアにそれぞれ割り当てられているパイロットチャネル信号とデータチャネル信号を分離する。周波数チャネル分離部は、分離された各信号（パイロットチャネル信号とデータチャネル信号）をデスクランブリング部に出力する。デスクランブリング部は、各信号毎にＯＦＤＭ送信機（基地局）でかけられたスクランブリングコード系列を用いてデスクランブリングを行い、デスクランブリング後の信号をチャネル等化部に出力する。なお、基地局でかけられたスクランブリングコード系列は、ＯＦＤＭ受信機としての移動体通信端末１０１側で既知であるものとする。周波数チャネル分離部は、分離されたパイロットチャネル信号をチャネル推定部に出力する。チャネル推定部は、パイロットチャネル信号の平均化または補間などを行うことによりチャネル推定を行う。チャネル推定部は、チャネル応答を示すチャネル推定値をチャネル等化部に出力する。チャネル等化部は、チャネル推定部からのチャネル推定値を用いて各データチャネル信号に対してチャネル等化を行う。なお、時間・周波数変換回路は、ＤＦＴ（離散フーリエ変換）を用いてもよい。復調部１３１は、チャネル等化後のデータチャネル信号をレート変換部１３２に出力する。
【００２５】
レート変換部１３２は、基地局から予め取得されるチャネル情報に含まれるチャネル符号化率（チャネルコーディングレート）Ｒに基づいて、チャネル等化後のデータチャネル信号を変換し、チャネル等化後のデータチャネル信号から冗長な部分を除去する。ここで、「チャネル符号化率Ｒ」とは、誤り訂正符号化処理（誤り訂正用に必要なビットを付加する処理）前のオリジナルの送信データと、その送信データに対して誤り訂正符号化処理を施した後に基地局が移動体通信端末１０１に対して送信する実際の送信データとの情報量の比を意味する。例えば３ビットのオリジナルの送信データに対し誤り訂正用に１ビットを付加する誤り訂正符号化処理を施して４ビットにチャネル符号化する場合、チャネル符号化率Ｒは３／４（＝７５％）となる。チャネル符号化率Ｒが３／４であるとすると、レート変換部１３２は、このチャネル符号化率Ｒに基づいてデータチャネル信号を３／４にレート変換し、オリジナルの送信データに予め付加された冗長な部分を除去する。レート変換部１３２は、レート変換後のデータチャネル信号を復号部１３３に出力する。
【００２６】
復号部１３３は、基地局から予め取得されるチャネル情報に含まれる変調方式（ＱＰＳＫなどのディジタル変調方式）に基づいて、レート変換後のデータチャネル信号に対してサブキャリア復調を施し、サブキャリア復調後のデータチャネル信号を誤り検出部１３４に出力する。誤り検出部１３４は、サブキャリア復調後のデータチャネル信号に対してチャネルデコーディング（誤り訂正復号化）を施し、データ信号の元となるビット列（下り送信データビット列）を再生する。受信信号処理部１１３は、下り送信データビット列を受信データ処理部１１４に出力する。
【００２７】
受信データ処理部１１４は、受信信号処理部１１３でベースバンド処理されたベースバンド信号をデータおよび音声に変換する。制御部１２０は、CPU（Central Processing Unit）、ROM（Read Only Memory）、およびRAM（Random Access Memory）などからなる。制御部１２０のCPUは、ROMに記憶されているプログラムまたは記憶部２５からRAMにロードされた、オペレーティングシステム（OS）を含む各種のアプリケーションプログラムや制御プログラムに従って各種の処理を実行するとともに、種々の制御信号を生成し、各部に供給することにより移動体通信端末１０１を統括的に制御する。RAMは、CPUが各種の処理を実行する上において必要なデータなどを適宜記憶する。具体的には、制御部１２０は、移動体通信システムによる音声通信やデータ通信を実現する制御機能を備えており、無線部１１２が用いるキャリア周波数を制御し、無線部１１２での受信結果に基づいてパイロット信号の探索を行う。
【００２８】
移動体通信端末１０１は、受話増幅器１１６、受話音声信号を拡声出力するレシーバ１１７、送話増幅器１１８、送話音声信号を入力するマイクロフォン１１９、ユーザからの要求を受け付ける操作部１２２、および受信データに基づく画像を表示する表示部１２３を備える。記憶部１２４は、例えば、電気的に書換えや消去が可能な不揮発性メモリであるフラッシュメモリ素子やHDD（Hard Disc Drive）などからなり、制御部１２０のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部１２４は、名前と電話番号を対応づけた電話帳データや、データ通信により取得したデータやダウンロードしたデータを適宜記憶する。また、移動体通信端末１０１は、バッテリの出力を基に所定の動作電源電圧Ｖｃｃを生成して各回路部に供給する電源回路や、現在の時刻を測定する時計回路（タイマ）を備える。
【００２９】
ＲＳＳＩ（受信信号強度）測定部１２１は、受信信号処理部１１３における受信信号強度を測定し、測定結果を制御部１２０に出力する。ＳＩＮＲ測定部１２５は、受信信号処理部１１３からの受信信号に関する無線伝送路品質（ＳＩＮＲ）を測定し、測定結果をＣＱＩ情報生成部１２６に出力する。なお、受信信号に関する無線伝送路品質は、受信信号のＳＩＲでもよい。ＣＱＩ情報生成部１２６は、ＳＩＮＲ測定部１２５による測定結果に基づいて、受信可能な伝送フォーマット（変調方式とチャネル符号化率の組合せ(MCS：Modulation and Channel Coding Scheme)）を決定し、決定された伝送フォーマット（変調方式と誤り訂正符号化率の組合せ）に基づいてチャネル状態情報（ＣＱＩ情報：Channel Quality Indicator情報）を生成する。このチャネル状態情報（ＣＱＩ情報）には、変調方式と誤り訂正符号化率の組み合わせ（MCS）を示すＣＱＩ Indexと、ＣＱＩ Indexに対応するMCSレベルが含まれている。ＣＱＩ情報生成部１２６は、チャネル状態情報（ＣＱＩ情報）をＣＱＩ情報制御部１２７と送信信号処理部１３０に出力する。チャネル状態情報は、送信信号処理部１３０と無線部１１２を介して基地局に送信される。
【００３０】
ＣＱＩ情報制御部１２７は、ＣＱＩ情報生成部１２６からのチャネル状態情報（ＣＱＩ情報）を取得し、取得されたチャネル状態情報に基づいて一定周期で、ＣＱＩ情報記憶部１２８に記憶される現在の推定MCSレベルや推定MCSレベルに関するＭｉｎ値とＭａｘ値を初期化または更新する。ＣＱＩ情報記憶部１２８は、現在の推定MCSレベルや推定MCSレベルに関するＭｉｎ値とＭａｘ値を記憶する。
【００３１】
送信データ処理部１２９は、移動体通信端末１０１が利用できる移動体通信システムに属する基地局に対して通信データを送信するための送信ベースバンド処理を行う。送信データ処理部１２９は、少なくとも符号部１４１と変調部１４２を備える。符号部１４１は、基地局から予め取得されるチャネル情報に含まれる変調方式（ＱＰＳＫなどのディジタル変調方式）に基づいて、送信データに対してサブキャリア変調を施し、サブキャリア変調後の送信データを変調部１４２に出力する。変調部１４２は、サブキャリア変調後の送信データに対してＯＦＤＭによるマルチキャリア変調を行う。具体的には、変調部１４２は、ＩＦＦＴ部を備え、周波数領域の信号を時間領域の信号に変換することによってＯＦＤＭ信号を生成する。ＩＦＦＴ部によって生成されたＯＦＤＭ信号は、ガードインタバル（ＧＩ）が付加され、無線部１１２に出力される。
【００３２】
図９のフローチャートを参照して、図８の移動体通信端末１０１におけるMCSレベル表示制御処理について説明する。図９では、移動体通信端末１０１が待ち受けモードを開始している場合を想定しており、移動体通信端末１０１は移動体通信システム（ＯＦＤＭＡの移動体通信システムなど）に属するいずれかの基地局と待ち受け中である。ここで、「待ち受けモード」とは、移動体通信端末１０１が移動通信網に対して移動局として登録済みであるが、移動体通信端末１０１が通信すべきデータがないために基地局とデータ通信は行わず、所定の周期（ページング周期）でページング（paging）を行い、着信の有無を確認している状態を意味する。
【００３３】
ステップＳ１において、制御部１２０は、無線部１１２や受信信号処理部１１３を制御し、移動体通信システムに属するいずれかの基地局に対して待ち受けモードを開始する。ステップＳ２において、制御部１２０は、移動体通信端末１０１が接続する移動体通信システムに属する基地局が利用する周波数帯域に含まれるすべてのリソースブロックでのＳＩＮＲを測定することができるように、無線部１１２と受信信号処理部１１３を制御する。ＳＩＮＲ測定部１２５は、ページング周期（ページングチャネル周期）またはページング周期の整数倍（２倍や３倍など）の周期で、移動体通信端末１０１が接続する移動体通信システムに属する基地局が利用する周波数帯域に含まれる各ＲＢ（リソースブロック）で、受信信号処理部１１３からの受信信号（パイロット信号などの既知の信号に関する受信信号）に関する無線伝送路品質（ＳＩＮＲ）を測定し、各ＲＢでの測定結果をＣＱＩ情報生成部１２６に出力する。ＣＱＩ情報生成部１２６は、移動体通信システムに属する基地局が利用する周波数帯域に含まれる各ＲＢで、ＳＩＮＲ測定部１２５による測定結果に基づいて受信可能なMCSを決定し、決定された伝送フォーマット（変調方式と誤り訂正符号化率の組合せ）に基づいてチャネル状態情報（ＣＱＩ情報）を生成する。各ＲＢごとのＣＱＩ情報には、変調方式と誤り訂正符号化率の組み合わせ（MCS）を示すＣＱＩ Indexと、ＣＱＩ Indexに対応するMCSレベルが含まれている。ＣＱＩ情報生成部１２６は、各ＲＢごとのＣＱＩ情報をＣＱＩ情報制御部１２７に出力する。
【００３４】
ステップＳ３において、ＣＱＩ情報制御部１２７は、移動体通信端末１０１が接続する移動体通信システムに属する基地局が利用する周波数帯域に含まれる各ＲＢごとのＣＱＩ情報を取得し、取得された各ＲＢごとのＣＱＩ情報に基づいて、移動体通信システムに属する基地局が利用する周波数帯域に関する推定MCSレベルを算出する。ここで、「推定MCSレベル」とは、移動体通信端末１０１が移動体通信システムに属する基地局とデータ通信を現時点の伝送路状態でする場合において推定されるMCSレベルをいう。なお、移動体通信システムに属する基地局とデータ通信する場合においては、基地局との間でのネゴシエーションによりMCSが決定されることから、推定MCSレベルはあくまで現時点での伝送路状態でデータ通信する場合に推定されるMCSレベルである。具体的には、ＣＱＩ情報制御部１２７は、移動体通信システムに属する基地局が利用する周波数帯域に含まれるすべてのＲＢのMCSレベルの平均を、移動体通信システムに属する基地局が利用する周波数帯域に関する推定MCSレベルとして算出する。図１０は、移動体通信システムに属する基地局が利用する周波数帯域に関する推定MCSレベルの算出方法の一例を示す。図１０の場合、ＲＢ１におけるMCSレベルは「６」であり、ＲＢ２におけるMCSレベルは「８」であり、以下同様である。そして、移動体通信システムに属する基地局が利用する周波数帯域に含まれるＲＢ１乃至ＲＢ８のMCSレベルの平均はおよそ５（＝４３／８）である。従って、図１０の場合、ＣＱＩ情報制御部１２７は、移動体通信システムに属する基地局が利用する周波数帯域に関する推定MCSレベルを「５」と算出する。なお、ＣＱＩ情報制御部１２７は、移動体通信システムに属する基地局が利用する周波数帯域に関する推定MCSレベルとして、すべてのＲＢのうち最大のMCSレベルを用いるようにしてもよい。具体的には、図１０の場合、ＣＱＩ情報制御部１２７は、移動体通信システムに属する基地局が利用する周波数帯域に関する推定MCSレベルとして、すべてのＲＢのうち最大のMCSレベル８を用いる。
【００３５】
また、ＣＱＩ情報制御部１２７は、算出された推定MCSレベルに基づいて、ＣＱＩ情報記憶部１２８に記憶される現在の推定MCSレベルを更新する。ＣＱＩ情報記憶部１２８は、ＣＱＩ情報制御部１２７の制御に従い、現在の推定MCSレベルを記憶する。例えば算出された推定MCSレベルが「１０」である場合、ＣＱＩ情報記憶部１２８に記憶される現在の推定MCSレベルが「MCSレベル１０」に更新される。
【００３６】
ステップＳ４において、ＣＱＩ情報制御部１２７は、ＣＱＩ情報記憶部１２８に記憶される推定MCSレベルに関するＭａｘ値（これまでに移動体通信端末１０１が測定した過去の推定MCSレベルに関するＭａｘ値）を読み出し、算出された推定MCSレベルが読み出された推定MCSレベルに関するＭａｘ値よりも大きいか否かを判定する。例えば算出された推定MCSレベルが「１０」である場合に、ＣＱＩ情報記憶部１２８に記憶される推定MCSレベルに関するＭａｘ値が「１２」であるとき、ＣＱＩ情報制御部１２７は、算出された推定MCSレベルが読み出された推定MCSレベルに関するＭａｘ値よりも小さいと判定する。一方、例えば算出された推定MCSレベルが「１３」である場合に、ＣＱＩ情報記憶部１２８に記憶される推定MCSレベルに関するＭａｘ値が「１２」であるとき、ＣＱＩ情報制御部１２７は、算出された推定MCSレベルが読み出された推定MCSレベルに関するＭａｘ値よりも大きいと判定する。ステップＳ４においてＣＱＩ情報制御部１２７が、算出された推定MCSレベルが読み出された推定MCSレベルに関するＭａｘ値よりも大きいと判定した場合、ＣＱＩ情報制御部１２７はステップＳ５で、ＣＱＩ情報記憶部１２８に記憶される推定MCSレベルのＭａｘ値を、算出された推定MCSレベルに更新する。一方、ステップＳ４においてＣＱＩ情報制御部１２７が、算出された推定MCSレベルが読み出された推定MCSレベルに関するＭａｘ値以下であると判定した場合、ＣＱＩ情報制御部１２７はステップＳ５の処理をスキップする。これにより、ＣＱＩ情報記憶部１２８に記憶される推定MCSレベルのＭａｘ値は更新されず、そのままの値で維持される。
【００３７】
ステップＳ６において、ＣＱＩ情報制御部１２７は、ＣＱＩ情報記憶部１２８に記憶される推定MCSレベルに関するＭｉｎ値（これまでに移動体通信端末１０１が測定した過去の推定MCSレベルに関するＭｉｎ値）を読み出し、算出された推定MCSレベルが読み出された推定MCSレベルに関するＭｉｎ値よりも小さい否かを判定する。例えば算出された推定MCSレベルが「１０」である場合に、ＣＱＩ情報記憶部１２８に記憶される推定MCSレベルに関するＭｉｎ値が「２」であるとき、ＣＱＩ情報制御部１２７は、算出された推定MCSレベルが読み出された推定MCSレベルに関するＭｉｎ値よりも大きいと判定する。一方、例えば算出された推定MCSレベルが「１」である場合に、ＣＱＩ情報記憶部１２８に記憶される推定MCSレベルに関するＭｉｎ値が「２」であるとき、ＣＱＩ情報制御部１２７は、算出された推定MCSレベルが読み出された推定MCSレベルに関するＭｉｎ値よりも小さいと判定する。ステップＳ６においてＣＱＩ情報制御部１２７が、算出された推定MCSレベルが読み出された推定MCSレベルに関するＭｉｎ値よりも小さいと判定した場合、ＣＱＩ情報制御部１２７はステップＳ７で、ＣＱＩ情報記憶部１２８に記憶される推定MCSレベルのＭｉｎ値を、算出された推定MCSレベルに更新する。一方、ステップＳ６においてＣＱＩ情報制御部１２７が、算出された推定MCSレベルが読み出された推定MCSレベルに関するＭｉｎ値以上と判定した場合、ＣＱＩ情報制御部１２７はステップＳ７の処理をスキップする。これにより、ＣＱＩ情報記憶部１２８に記憶される推定MCSレベルのＭｉｎ値は更新されず、そのままの値で維持される。
【００３８】
このように、ステップＳ３乃至Ｓ７の処理により、ＣＱＩ情報記憶部１２８は、ＣＱＩ情報制御部１２７の制御に従い、現在の推定MCSレベルと推定MCSレベルに関するＭｉｎ値とＭａｘ値を更新する。例えば算出された推定MCSレベルが「１０」であり、かつ推定MCSレベルに関するＭｉｎ値とＭａｘ値に変更がない場合、ＣＱＩ情報記憶部１２８に記憶される現在の推定MCSレベルのみが「MCSレベル１０」に更新される。
【００３９】
ステップＳ８において、制御部１２０は、ＣＱＩ情報記憶部１２８に記憶される現在の推定MCSレベルや推定MCSレベルに関するＭｉｎ値とＭａｘ値を読み出し、読み出された現在の推定MCSレベルと推定MCSレベルに関するＭｉｎ値とＭａｘ値を用いて表示部１２３の表示を更新する。これにより、移動体通信端末１０１が基地局との待ち受け中に、表示部１２３が表示する現在の推定MCSレベルや推定MCSレベルに関するＭｉｎ値とＭａｘ値が、ＣＱＩ情報記憶部１２８に記憶される現在の推定MCSレベルや推定MCSレベルに関するＭｉｎ値とＭａｘ値に所定の周期（ページング周期またはページング周期の整数倍の周期）ごとに更新される。図１１は、表示部１２３が表示する現在の推定MCSレベルと、推定MCSレベルに関するＭｉｎ値とＭａｘ値を示す。図１１の場合、現在の推定MCSレベルとして「１０」が表示され、推定MCSレベルに関するＭｉｎ値として「２」が表示され、推定MCSレベルに関するＭａｘ値として「１２」が表示される。ステップＳ９において、制御部１２０は、移動体通信端末１０１が待ち受けている基地局とデータ通信を開始するか否かを判定する。ステップＳ９において制御部１２０が、移動体通信端末１０１が待ち受けている基地局とデータ通信を開始しないと判定した場合、処理はステップＳ２に戻り、移動体通信端末１０１は待ち受けモードを継続して、ステップＳ２においてページング周期またはページング周期の整数倍の周期ごとに各ＲＢごとのＣＱＩ情報が生成され、生成された各ＲＢごとのＣＱＩ情報に基づいて現在の推定MCSレベルや推定MCSレベルに関するＭｉｎ値とＭａｘ値が適宜更新される。なお、ＣＱＩ情報記憶部１２８が記憶する現在の推定MCSレベルや推定MCSレベルに関するＭｉｎ値とＭａｘ値は、一定の周期（例えば３０分などの周期）で初期化される。なお、ＣＱＩ情報記憶部１２８が記憶する現在の推定MCSレベルや推定MCSレベルに関するＭｉｎ値とＭａｘ値が初期化される周期はユーザが任意に指定し、指定された周期を移動体通信端末１０１が初期化周期として設定するようにしてもよい。
【００４０】
一方、ステップＳ９において制御部１２０が、移動体通信端末１０１が待ち受けている基地局とデータ通信を開始すると判定した場合、制御部１２０はステップＳ１０で、無線部１１２、受信信号処理部１１３、ＳＩＮＲ測定部１２５、ＣＱＩ情報生成部１２６、および送信信号処理部１３０を制御し、基地局との間でネゴシエーションを行い、通信に使用するMCSを決定する。具体的には、移動体通信端末１０１はＣＱＩ情報を基地局に対して送信し、基地局は、個別情報のチャネルのユーザ情報及び伝送フォーマット情報と使用する帯域情報を移動体通信端末１０１に対して送信し、移動体通信端末１０１は、無線部１１２と受信信号処理部１１３を介して、この制御チャネルにのせられた情報に基づいて、基地局からの個別情報チャネルを受信し、制御部１２０はこの個別情報チャネルを取得し、通信に使用するMCSを認識する。移動体通信端末１０１の制御部１２０は、無線部１１２、受信信号処理部１１３、および送信信号処理部１３０を制御し、基地局とのネゴシエーションで決定したMCSを用いてデータ通信を開始する。
【００４１】
ステップＳ１１において、ＣＱＩ情報制御部１２７は、制御部１２０の制御に従い、移動体通信端末１０１と基地局との間で決定されたMCSレベルと、ＣＱＩ情報記憶部１２８に記憶される現在の推定MCSレベル（表示部１２３により表示される現在の推定MCSレベル）とが異なるか否かを判定する。例えば、移動体通信端末１０１と基地局との間で決定された推定MCSレベルが「MCSレベル８」であり、ＣＱＩ情報記憶部１２８に記憶される現在の推定MCSレベルが「MCSレベル１０」である場合には、ＣＱＩ情報制御部１２７は、制御部１２０の制御に従い、移動体通信端末１０１と基地局との間で決定された推定MCSレベルと、ＣＱＩ情報記憶部１２８に記憶される現在の推定MCSレベルとが異なると判定する。
【００４２】
ステップＳ１１においてＣＱＩ情報制御部１２７が、移動体通信端末１０１と基地局との間で決定されたMCSレベルと、ＣＱＩ情報記憶部１２８に記憶される現在の推定MCSレベルとが異なると判定した場合、ＣＱＩ情報制御部１２７はステップＳ１２で、制御部１２０の制御に従い、移動体通信端末１０１と基地局との間で決定されたMCSレベルに基づいて、ＣＱＩ情報記憶部１２８に記憶される現在の推定MCSレベル（表示部１２３により表示される現在の推定MCSレベル）を更新する。例えば、移動体通信端末１０１と基地局との間で決定されたMCSレベルが「MCSレベル８」であり、ＣＱＩ情報記憶部１２８に記憶される現在の推定MCSレベルが「MCSレベル１０」である場合には、ＣＱＩ情報記憶部１２８に記憶される現在の推定MCSレベルが「MCSレベル８」に更新される。これにより、移動体通信端末１０１が基地局とデータ通信する場合において基地局との間で決定されたMCSレベルに一致させることができ、データ通信時における通信品質を好適に表示することができる。
【００４３】
一方、ステップＳ１１においてＣＱＩ情報制御部１２７が、移動体通信端末１０１と基地局との間で決定されたMCSレベルと、ＣＱＩ情報記憶部１２８に記憶される現在の推定MCSレベルとが同じであると判定した場合、ステップＳ１２の処理はスキップされる。
【００４４】
ステップＳ１３において、ＣＱＩ情報制御部１２７は、ＣＱＩ情報記憶部１２８に記憶される推定MCSレベルに関するＭａｘ値を読み出し、移動体通信端末と基地局との間で決定されたMCSレベルが、読み出された推定MCSレベルに関するＭａｘ値よりも大きいか否かを判定する。例えば移動体通信端末と基地局との間で決定されたMCSレベルが「１０」である場合に、ＣＱＩ情報記憶部１２８に記憶される推定MCSレベルに関するＭａｘ値が「１２」であるとき、ＣＱＩ情報制御部１２７は、移動体通信端末と基地局との間で決定されたMCSレベルが読み出された推定MCSレベルに関するＭａｘ値よりも小さいと判定する。一方、例えば移動体通信端末と基地局との間で決定されたMCSレベルが「１３」である場合に、ＣＱＩ情報記憶部１２８に記憶される推定MCSレベルに関するＭａｘ値が「１２」であるとき、ＣＱＩ情報制御部１２７は、移動体通信端末と基地局との間で決定されたMCSレベルが読み出された推定MCSレベルに関するＭａｘ値よりも大きいと判定する。ステップＳ１３においてＣＱＩ情報制御部１２７が、移動体通信端末と基地局との間で決定されたMCSレベルが読み出された推定MCSレベルに関するＭａｘ値よりも大きいと判定した場合、ＣＱＩ情報制御部１２７はステップＳ１４で、ＣＱＩ情報記憶部１２８に記憶される推定MCSレベルのＭａｘ値を、移動体通信端末と基地局との間で決定されたMCSレベルに更新する。一方、ステップＳ１３においてＣＱＩ情報制御部１２７が、移動体通信端末と基地局との間で決定されたMCSレベルが読み出された推定MCSレベルに関するＭａｘ値以下であると判定した場合、ＣＱＩ情報制御部１２７はステップＳ１４の処理をスキップする。これにより、ＣＱＩ情報記憶部１２８に記憶される推定MCSレベルのＭａｘ値は更新されず、そのままの値で維持される。
【００４５】
ステップＳ１５において、ＣＱＩ情報制御部１２７は、ＣＱＩ情報記憶部１２８に記憶される推定MCSレベルに関するＭｉｎ値を読み出し、移動体通信端末と基地局との間で決定されたMCSレベルが、読み出された推定MCSレベルに関するＭｉｎ値よりも小さいか否かを判定する。例えば、移動体通信端末と基地局との間で決定されたMCSレベルが「１０」である場合に、ＣＱＩ情報記憶部１２８に記憶される推定MCSレベルに関するＭｉｎ値が「２」であるとき、ＣＱＩ情報制御部１２７は、移動体通信端末と基地局との間で決定されたMCSレベルが読み出された推定MCSレベルに関するＭｉｎ値よりも大きいと判定する。一方、例えば移動体通信端末と基地局との間で決定されたMCSレベルが「１」である場合に、ＣＱＩ情報記憶部１２８に記憶される推定MCSレベルに関するＭｉｎ値が「２」であるとき、ＣＱＩ情報制御部１２７は、移動体通信端末と基地局との間で決定されたMCSレベルが読み出された推定MCSレベルに関するＭｉｎ値よりも小さいと判定する。ステップＳ１５においてＣＱＩ情報制御部１２７が、移動体通信端末と基地局との間で決定されたMCSレベルが読み出された推定MCSレベルに関するＭｉｎ値よりも小さいと判定した場合、ＣＱＩ情報制御部１２７はステップＳ１６で、ＣＱＩ情報記憶部１２８に記憶される推定MCSレベルのＭｉｎ値を、移動体通信端末と基地局との間で決定されたMCSレベルに更新する。一方、ステップＳ１５においてＣＱＩ情報制御部１２７が、移動体通信端末と基地局との間で決定されたMCSレベルが読み出された推定MCSレベルに関するＭｉｎ値以上と判定した場合、ＣＱＩ情報制御部１２７はステップＳ１６の処理をスキップする。これにより、ＣＱＩ情報記憶部１２８に記憶される推定MCSレベルのＭｉｎ値は更新されず、そのままの値で維持される。
【００４６】
ステップＳ１７において、制御部１２０は、ＣＱＩ情報記憶部１２８に記憶される現在の推定MCSレベルや推定MCSレベルに関するＭｉｎ値とＭａｘ値を読み出し、読み出された現在の推定MCSレベルと推定MCSレベルに関するＭｉｎ値とＭａｘ値を用いて表示部１２３の表示を更新する。これにより、移動体通信端末１０１が基地局とのデータ通信が開始される場合、表示部１２３が表示する現在の推定MCSレベルや推定MCSレベルに関するＭｉｎ値とＭａｘ値が、ＣＱＩ情報記憶部１２８に記憶される現在の推定MCSレベルや推定MCSレベルに関するＭｉｎ値とＭａｘ値に更新される。
【００４７】
ステップＳ１８において、制御部１２０は、移動体通信端末１０１が待ち受けている基地局とのデータ通信を終了するか否かを判定し、移動体通信端末１０１が待ち受けている基地局とのデータ通信を終了すると判定するまで待機し、移動体通信端末１０１は、基地局とのデータ通信を行う。ステップＳ１８において制御部１２０が、移動体通信端末１０１が待ち受けている基地局とのデータ通信を終了すると判定した場合、処理はステップＳ１に戻り、制御部１２０は、無線部１１２と受信信号処理部１１３を制御し、移動体通信システムに属するいずれかの基地局に対して待ち受けモードを開始し、その後、ステップＳ２以降の処理を開始する。
【００４８】
このように、本発明の第１実施形態に係る移動体通信端末１０１は、移動体通信端末と移動体通信システムに属する基地局との間で無線信号を送受信し、移動体通信端末と移動体通信システムに属する基地局との間で送受信される無線信号を処理し、移動体通信端末と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末と移動体通信システムに属する基地局との間の通信を制御し、移動体通信端末が待ち受けている移動体通信システムに属する基地局からの無線信号の受信品質を検出し、移動体通信システムに属する基地局が利用する周波数帯域に含まれる各リソースブロックごとに、複数のMCSの中での、検出される受信品質に基づくMCSのMCSレベルを含むチャネル状態情報を生成し、移動体通信端末が移動体通信システムに属する基地局に対して待ち受けている場合に、生成される各リソースブロックごとのチャネル状態情報に基づいて、移動体通信端末が移動体通信システムに属する基地局とデータ通信をする場合における移動体通信端末での推定MCSレベルを算出し、算出される推定MCSレベルを表示することができる。これにより、本発明の第１実施形態に係る移動体通信端末１０１は、待ち受け中においてもＣＱＩ測定を実施し、MCSに対応するＣＱＩ indexをリアルタイムに表示し、通信品質（受信品質）を好適に表示することができる。そして、ユーザは、実際に伝送路状態が良い場所がどこであるかを認識することができ、ユーザに受信品質が良好な場所にて無線通信を行うよう促し、移動体通信端末１０１の低消費電力化及びセクタスループットを向上させることすることができる。また、移動体通信システムは、伝送効率のよいMCSを用いてデータ伝送を行うことができ、周波数利用効率を向上させることができる。
【００４９】
［第２実施形態］
ところで、本発明の第１実施形態の場合、移動体通信端末１０１は、基地局との待ち受け中やデータ通信を開始したときに、現在の推定MCSレベルとMCSレベルに関するＭｉｎ値とＭａｘ値の表示を適宜更新する。これにより、移動体通信端末１０１は、待ち受け中においてもＣＱＩ測定を実施し、通信品質（受信品質）を好適に表示することができる。これ以外の通信品質表示方法（受信品質表示方法）として、次のようなものが考えられる。すなわち、基地局からの報知情報や下りリソース割当情報などに基づいて移動体通信端末１０１がデータ通信を開始した場合における伝送レートを予測し、予測される伝送レートを受信品質として表示する。具体的には、移動体通信端末１０１は基地局との待ち受け中にページング周期またはページング周期の整数倍の周期でＣＱＩ測定をし（ＣＱＩ情報を生成し）、現在の推定MCSレベルと推定MCSレベルに関するＭｉｎ値とＭａｘ値の表示を適宜更新するとともに、基地局からの報知情報または下りリソース割当情報（システム帯域に関する情報や、ユーザIDに基づくユーザ数に関する情報が含まれる）に基づいて自端末に割り当てられる無線リソース量を推定し、測定したＣＱＩから推測されるMCSと推定したリソース量から、伝送レート（伝送速度）を予測して表示する。図１２は、システム帯域幅（周波数帯域幅）Fwとユーザ数Nと予測される伝送レートとの関係を示している。図１２が示すように、移動体通信端末１０１が接続する基地局が利用するシステム帯域幅（周波数帯域幅）が相対的に広くなればなるほど、移動体通信端末１０１が基地局とデータ通信する場合において予測される伝送レートは高くなり、また、基地局に接続する移動体通信端末１０１の数（すなわち、ユーザ数）が少なくなればなるほど、基地局が１端末あたりに割り当てる無線リソース量は多くなることから、移動体通信端末１０１が基地局とデータ通信する場合において予測される伝送レートは高くなる。
【００５０】
一方、移動体通信端末１０１が接続する基地局が利用するシステム帯域幅（周波数帯域幅）が相対的に狭くなればなるほど、移動体通信端末１０１が基地局とデータ通信する場合において予測される伝送レートは低くなり、また、基地局に接続する移動体通信端末１０１の数（すなわち、ユーザ数）が多くなればなるほど、基地局が１端末あたりに割り当てる無線リソース量は少なくなることから、移動体通信端末１０１が基地局とデータ通信する場合において予測される伝送レートは低くなる。以下、本発明の第２実施形態に係る伝送レートの予測方法について説明する。
【００５１】
図１３は、本発明の第２実施形態に係る移動体通信端末１０１の内部の構成を表している。図１３の構成は、図８が示す本発明の第１実施形態に係る移動体通信端末１０１の構成と基本的には同様である。図８の構成と対応するものについては同一の符号を付しており、異なる構成以外については説明を省略する。
【００５２】
割り当て情報取得部１５１は、受信信号処理部１１３から、基地局からの報知情報または下りリソース割当情報（システム帯域に関する情報や、ユーザIDに基づくユーザ数に関する情報が含まれる）を取得し、基地局からの報知情報または下りリソース割当情報の中から、システム帯域幅Fwや、ユーザ数N、あるいは移動体通信端末１０１が待ち受け中の基地局とデータ通信中またはデータ通信時のネゴシエーション中の他の移動体通信端末１０１が基地局との間で決定したMCSを検出する。割り当て情報取得部１５１は、検出されたシステム帯域幅Fwや、ユーザ数N、あるいは他の移動体通信端末１０１が基地局との間で決定したMCSに関する情報を伝送レート（伝送速度）算出部１５２に出力する。
【００５３】
伝送レート算出部１５２は、割り当て情報取得部１５１からの情報（システム帯域幅Fwや、ユーザ数N、あるいは他の移動体通信端末１０１が基地局との間で決定したMCSに関する情報）を取得し、混雑度Tr（＝システム帯域幅Fw／ユーザ数N）を算出する。また、伝送レート算出部１５２は、ＣＱＩ情報制御部１２７からの移動体通信システムに属する基地局が利用する周波数帯域に関する推定MCSレベルと、混雑度Trに基づいて、予測される推定伝送レートを算出し、算出された推定伝送レートを伝送レート情報記憶部１５３に出力する。伝送レート情報記憶部１５３は、現在の推定伝送レート、および推定伝送レートに関するＭｉｎ値とＭａｘ値を記憶する。
【００５４】
図１４と図１５のフローチャートを参照して、図１３の移動体通信端末１０１における伝送レート表示制御処理について説明する。図１４と図１５では、移動体通信端末１０１が待ち受けモードを開始している場合を想定しており、移動体通信端末１０１は移動体通信システム（ＯＦＤＭＡの移動体通信システムなど）に属するいずれかの基地局と待ち受け中である。
【００５５】
ステップＳ１０１において、制御部１２０は、無線部１１２や受信信号処理部１１３を制御し、移動体通信システムに属するいずれかの基地局に対して待ち受けモードを開始する。ステップＳ１０２において、移動体通信端末１０１は、基地局から定常的に送信される報知チャネルを受信する。割り当て情報取得部１５１は、受信信号処理部１１３から、基地局からの報知情報または下りリソース割当情報（システム帯域に関する情報や、ユーザIDに基づくユーザ数に関する情報が含まれる）を取得し、基地局からの報知情報または下りリソース割当情報の中から、システム帯域幅Fwを検出する。ステップＳ１０３において、割り当て情報取得部１５１は、基地局からの報知情報または下りリソース割当情報に含まれるユーザＩＤに基づいて、移動体通信端末１０１が待ち受け中の基地局とデータ通信中またはデータ通信時のネゴシエーション中の他の移動体通信端末１０１の数（すなわち、ユーザ数N）を検出する。
【００５６】
ステップＳ１０４において、制御部１２０は、移動体通信端末１０１が接続する移動体通信システムに属する基地局が利用する周波数帯域に含まれるすべてのリソースブロックでのＳＩＮＲを測定することができるように、無線部１１２と受信信号処理部１１３を制御する。ＳＩＮＲ測定部１２５は、ページング周期またはページング周期の整数倍（２倍や３倍など）の周期で、移動体通信端末１０１が接続する移動体通信システムに属する基地局が利用する周波数帯域に含まれる各ＲＢ（リソースブロック）で、受信信号処理部１１３からの受信信号（パイロット信号などの既知の信号に関する受信信号）に関する無線伝送路品質（ＳＩＮＲ）を測定し、各ＲＢでの測定結果をＣＱＩ情報生成部１２６に出力する。ＣＱＩ情報生成部１２６は、移動体通信システムに属する基地局が利用する周波数帯域に含まれる各ＲＢで、ＳＩＮＲ測定部１２５による測定結果に基づいて受信可能なMCSを決定し、決定された伝送フォーマット（変調方式と誤り訂正符号化率の組合せ）に基づいてチャネル状態情報（ＣＱＩ情報）を生成する。各ＲＢごとのＣＱＩ情報には、変調方式と誤り訂正符号化率の組み合わせ（MCS）を示すＣＱＩ Indexと、ＣＱＩ Indexに対応するMCSレベルが含まれている。ＣＱＩ情報生成部１２６は、各ＲＢごとのＣＱＩ情報をＣＱＩ情報制御部１２７に出力する。
【００５７】
ステップＳ１０５において、ＣＱＩ情報制御部１２７は、移動体通信端末１０１が接続する移動体通信システムに属する基地局が利用する周波数帯域に含まれる各ＲＢごとのＣＱＩ情報を取得し、取得された各ＲＢごとのＣＱＩ情報に基づいて、移動体通信システムに属する基地局が利用する周波数帯域に関する推定MCSレベルを算出する。なお、ステップＳ１０５における移動体通信システムに属する基地局が利用する周波数帯域に関する推定MCSレベルの算出方法は、図９のステップＳ３における算出方法と基本的には同様であり、その説明は繰り返しになるので省略する。ステップＳ１０６において、伝送レート算出部１５２は、割り当て情報取得部１５１によって検出されたシステム帯域幅Fwとユーザ数Nを取得し、取得されたシステム帯域幅Fwとユーザ数Nに基づいて混雑度Tr（＝システム帯域幅Fw／ユーザ数N）を算出する。この混雑度Trは、移動体通信端末１０１が待ち受け中の基地局の混雑の程度を示している。
【００５８】
ステップＳ１０７において、伝送レート算出部１５２は、移動体通信システムに属する基地局が利用する周波数帯域に関する推定MCSレベルと、混雑度Trとに基づいて、予測される推定伝送レート（推定伝送速度）Erを算出する。ここで、「推定伝送速度」とは、移動体通信端末１０１０が移動体通信システムに属する基地局とデータ通信を現時点の伝送路状態でする場合において推定される伝送速度をいう。また、伝送レート算出部１５２は、算出された推定伝送レート（予測される伝送レート）に基づいて、伝送レート情報記憶部１５３に記憶される現在の推定伝送レートを更新する。伝送レート情報記憶部１５３は、伝送レート算出部１５２の制御に従い、現在の推定伝送レートを記憶する。例えば算出された推定伝送レートが「１．２Ｍｂｐｓ」である場合、伝送レート情報記憶部１５３に記憶される現在の推定伝送レートが「１．２Ｍｂｐｓ」に更新される。
【００５９】
ステップＳ１０８において、伝送レート算出部１５２は、伝送レート情報記憶部１５３に記憶される推定伝送レートに関するＭａｘ値（これまでに移動体通信端末１０１が予測した過去の推定伝送レートに関するＭａｘ値）を読み出し、算出された推定伝送レートが読み出された推定伝送レートに関するＭａｘ値よりも大きいか否かを判定する。例えば算出された推定伝送レートが「１．２Ｍｂｐｓ」である場合に、伝送レート情報記憶部１５３に記憶される推定伝送レートに関するＭａｘ値が「３．４Ｍｂｐｓ」であるとき、伝送レート算出部１５２は、算出された推定伝送レートが読み出された推定伝送レートに関するＭａｘ値よりも小さいと判定する。一方、例えば算出された推定伝送レートが「５．０Ｍｐｓ」である場合に、伝送レート情報記憶部１５３に記憶される伝送レートに関するＭａｘ値が「３．４Ｍｂｐｓ」であるとき、伝送レート算出部１５２は、算出された推定伝送レートが読み出された推定伝送レートに関するＭａｘ値よりも大きいと判定する。ステップＳ１０８において伝送レート算出部１５２が、算出された推定伝送レートが読み出された推定伝送レートに関するＭａｘ値よりも大きいと判定した場合、伝送レート算出部１５２はステップＳ１０９で、伝送レート情報記憶部１５３に記憶される伝送レートのＭａｘ値を、算出された推定伝送レートに更新する。一方、ステップＳ１０８において伝送レート算出部１５２が、算出された推定伝送レートが読み出された推定伝送レートに関するＭａｘ値以下であると判定した場合、伝送レート算出部１５２はステップＳ１０９の処理をスキップする。これにより、伝送レート情報記憶部１５３に記憶される伝送レートのＭａｘ値は更新されず、そのままの値で維持される。
【００６０】
ステップＳ１１０において、伝送レート算出部１５２は、伝送レート情報記憶部１５３に記憶される推定伝送レートに関するＭｉｎ値（これまでに移動体通信端末１０１が予測した過去の推定伝送レートに関するＭｉｎ値）を読み出し、算出された推定伝送レートが読み出された推定伝送レートに関するＭｉｎ値よりも小さい否かを判定する。例えば算出された推定伝送レートが「１．２Ｍｂｐｓ」である場合に、伝送レート情報記憶部１５３に記憶される推定伝送レートに関するＭｉｎ値が「１００ｋｂｐｓ」であるとき、伝送レート算出部１５２は、算出された推定伝送レートが読み出された推定伝送レートに関するＭｉｎ値よりも大きいと判定する。一方、例えば算出された推定伝送レートが「９０ｋｂｐｓ」である場合に、伝送レート情報記憶部１５３に記憶される推定伝送レートに関するＭｉｎ値が「１００ｋｂｐｓ」であるとき、伝送レート算出部１５２は、算出された推定伝送レートが読み出された推定伝送レートに関するＭｉｎ値よりも小さいと判定する。ステップＳ１１０において伝送レート算出部１５２が、算出された推定伝送レートが読み出された推定伝送レートに関するＭｉｎ値よりも小さいと判定した場合、伝送レート算出部１５２はステップＳ１１１で、伝送レート情報記憶部１５３に記憶される伝送レートのＭｉｎ値を、算出された推定伝送レートに更新する。一方、ステップＳ１１０において伝送レート算出部１５２が、算出された推定伝送レートが読み出された推定伝送レートに関するＭｉｎ値以上と判定した場合、伝送レート算出部１５２はステップＳ１１１の処理をスキップする。これにより、伝送レート情報記憶部１５３に記憶される伝送レートのＭｉｎ値は更新されず、そのままの値で維持される。
【００６１】
このように、ステップＳ１０２乃至Ｓ１１１の処理により、伝送レート情報記憶部１５３は、伝送レート算出部１５２の制御に従い、現在の推定伝送レートと推定伝送レートに関するＭｉｎ値とＭａｘ値を更新する。例えば算出された推定伝送レートが「１．５Ｍｂｐｓ」であり、かつ推定MCSレベルに関するＭｉｎ値とＭａｘ値に変更がない場合、伝送レート情報記憶部１５３に記憶される現在の推定伝送レートのみが「１．５Ｍｂｐｓ」に更新される。
【００６２】
ステップＳ１１３において、制御部１２０は、伝送レート情報記憶部１５３に記憶される現在の推定伝送レートや推定伝送レートに関するＭｉｎ値とＭａｘ値を読み出し、読み出された現在の推定伝送レートと推定伝送レートに関するＭｉｎ値とＭａｘ値を用いて表示部１２３の表示を更新する。これにより、移動体通信端末１０１が基地局との待ち受け中に、表示部１２３が表示する現在伝送レート（現時点で予測される伝送レート）や推定伝送レートに関するＭｉｎ値とＭａｘ値が、伝送レート情報記憶部１５３に記憶される現在の推定伝送レートや推定伝送レートに関するＭｉｎ値とＭａｘ値に所定の周期（ページング周期またはページング周期の整数倍の周期）ごとに更新される。図１６は、表示部１２３が表示する現在の推定伝送レートと、推定伝送レートに関するＭｉｎ値とＭａｘ値を示す。図１６の場合、現在の推定伝送レートとして「１．２Ｍｂｐｓ」が表示され、推定伝送レートに関するＭｉｎ値として「１００ｋｂｐｓ」が表示され、伝送レートに関するＭａｘ値として「３．４Ｍｂｐｓ」が表示される。ステップＳ１１３において、制御部１２０は、移動体通信端末１０１が待ち受けている基地局とデータ通信を開始するか否かを判定する。ステップＳ１１３において制御部１２０が、移動体通信端末１０１が待ち受けている基地局とデータ通信を開始しないと判定した場合、処理はステップＳ１０２に戻り、移動体通信端末１０１は待ち受けモードを継続して、現在の推定伝送レートや推定伝送レートに関するＭｉｎ値とＭａｘ値が適宜更新される。なお、伝送レート情報記憶部１５３が記憶する現在の推定伝送レートや推定伝送レートに関するＭｉｎ値とＭａｘ値は、一定の周期（例えば３０分などの周期）で初期化される。なお、伝送レート情報記憶部１５３が記憶する現在の推定伝送レートや推定伝送レートに関するＭｉｎ値とＭａｘ値が初期化される周期はユーザが任意に指定し、指定された周期を移動体通信端末１０１が初期化周期として設定するようにしてもよい。
【００６３】
一方、ステップＳ１１３において制御部１２０が、移動体通信端末１０１が待ち受けている基地局とデータ通信を開始すると判定した場合、制御部１２０は図１５のステップＳ１１４で、無線部１１２、受信信号処理部１１３、ＳＩＮＲ測定部１２５、ＣＱＩ情報生成部１２６、および送信信号処理部１３０を制御し、基地局との間でネゴシエーションを行い、通信に使用するMCSを決定する。具体的には、移動体通信端末１０１はＣＱＩ情報を基地局に対して送信し、基地局は、個別情報のチャネルのユーザ情報及び伝送フォーマット情報と使用する帯域情報を移動体通信端末１０１に対して送信し、移動体通信端末１０１は、無線部１１２と受信信号処理部１１３を介して、この制御チャネルにのせられた情報に基づいて、基地局からの個別情報チャネルを受信し、制御部１２０はこの個別情報チャネルを取得し、通信に使用するMCSを認識する。移動体通信端末１０１の制御部１２０は、無線部１１２、受信信号処理部１１３、および送信信号処理部１３０を制御し、基地局とのネゴシエーションで決定したMCSを用いてデータ通信を開始する。
【００６４】
ステップＳ１１５において、伝送レート算出部１５２は、制御部１２０の制御に従い、移動体通信端末１０１と基地局との間で決定されたMCS（MCSレベル）と、基地局によって割り当てられた無線リソース量に基づいて、データ通信における伝送レートErを算出する。ステップＳ１１６において、伝送レート算出部１５２は、制御部１２０の制御に従い、算出されたデータ通信時における伝送レートErと、伝送レート情報記憶部１５３に記憶される現在の推定伝送レートEr（表示部１２３により表示される現在の推定伝送レート）とが異なるか否かを判定する。
【００６５】
ステップＳ１１６において伝送レート算出部１５２が、算出されたデータ通信時における伝送レートErと、伝送レート情報記憶部１５３に記憶される現在の推定伝送レートErとが異なると判定した場合、伝送レート算出部１５２はステップＳ１１７で、制御部１２０の制御に従い、算出されたデータ通信時における伝送レートErに基づいて、伝送レート情報記憶部１５３に記憶される推定伝送レート（表示部１２３により表示される推定伝送レート）を変更する（更新する）。例えば、算出されたデータ通信時における伝送レートErが「１．５Ｍｂｐｓ」であり、伝送レート情報記憶部１５３に記憶される推定伝送レートが「１．２Ｍｂｐｓ」である場合には、伝送レート情報記憶部１５３に記憶される現在の推定伝送レートが「１．５Ｍｂｐｓ」に更新される。一方、ステップＳ１１６において伝送レート算出部１５２が、算出されたデータ通信時における伝送レートErと、伝送レート情報記憶部１５３に記憶される推定伝送レートErとが同じであると判定した場合、ステップＳ１１７の処理はスキップされる。
【００６６】
ステップＳ１１８において、伝送レート算出部１５２は、伝送レート情報記憶部１５３に記憶される推定伝送レートに関するＭａｘ値を読み出し、算出されたデータ通信時における伝送レートErが、読み出された推定伝送レートに関するＭａｘ値よりも大きいか否かを判定する。例えば算出されたデータ通信時における伝送レートが「１．５Ｍｂｐｓ」である場合に、伝送レート情報記憶部１５３に記憶される推定伝送レートに関するＭａｘ値が「３．４Ｍｂｐｓ」であるとき、伝送レート算出部１５２は、算出されたデータ通信時における伝送レートErが読み出された推定伝送レートに関するＭａｘ値よりも小さいと判定する。一方、例えば算出されたデータ通信時における伝送レートErが「４．０Ｍｂｐｓ」である場合に、伝送レート情報記憶部１５３に記憶される推定伝送レートに関するＭａｘ値が「３．４Ｍｂｐｓ」であるとき、伝送レート算出部１５２は、算出されたデータ通信時における伝送レートErが読み出された推定伝送レートに関するＭａｘ値よりも大きいと判定する。ステップＳ１１８において伝送レート算出部１５２が、算出されたデータ通信時における伝送レートErが読み出された推定伝送レートErに関するＭａｘ値よりも大きいと判定した場合、伝送レート算出部１５２はステップＳ１１９で、伝送レート情報記憶部１５３に記憶される推定伝送レートErのＭａｘ値を、算出されたデータ通信時における伝送レートErに更新する。一方、ステップＳ１１８において伝送レート算出部１５２が、算出されたデータ通信時における伝送レートErが読み出された推定伝送レートに関するＭａｘ値以下であると判定した場合、伝送レート算出部１５２はステップＳ１１９の処理をスキップする。これにより、伝送レート記憶部１５２に記憶される推定伝送レートのＭａｘ値は更新されず、そのままの値で維持される。
【００６７】
ステップＳ１２０において、伝送レート算出部１５２は、伝送レート情報記憶部１５３に記憶される推定伝送レートに関するＭｉｎ値を読み出し、算出されたデータ通信時における伝送レートErが、読み出された推定伝送レートErに関するＭｉｎ値よりも小さいか否かを判定する。例えば、算出されたデータ通信時における伝送レートErが「１５０ｋｂｐｓ」である場合に、伝送レート情報記憶部１５３に記憶される推定伝送レートErに関するＭｉｎ値が「１００ｋｂｐｓ」であるとき、伝送レート算出部１５２は、算出されたデータ通信時における伝送レートErが読み出された推定伝送レートErに関するＭｉｎ値よりも大きいと判定する。一方、例えば、算出されたデータ通信時における伝送レートErが「９０ｋｂｐｓ」である場合に、伝送レート情報記憶部１５３に記憶される推定伝送レートErに関するＭｉｎ値が「１００ｋｂｐｓ」であるとき、伝送レート算出部１５２は、算出されたデータ通信時における伝送レートErが読み出された推定伝送レートErに関するＭｉｎ値よりも小さいと判定する。ステップＳ１２０において伝送レート算出部１５２が、算出されたデータ通信時における伝送レートErが読み出された推定伝送レートErに関するＭｉｎ値よりも小さいと判定した場合、伝送レート算出部１５２はステップＳ１２１で、伝送レート情報記憶部１５３に記憶される伝送レートErのＭｉｎ値を、算出されたデータ通信時における伝送レートErに更新する。一方、ステップＳ１２０において伝送レート算出部１５２が、算出されたデータ通信時における伝送レートErが読み出された推定伝送レートErに関するＭｉｎ値以上と判定した場合、伝送レート算出部１５２はステップＳ１２１の処理をスキップする。これにより、伝送レート情報記憶部１５３に記憶される推定伝送レートErのＭｉｎ値は更新されず、そのままの値で維持される。
【００６８】
ステップＳ１２２において、制御部１２０は、伝送レート情報記憶部１５３に記憶される現在の推定伝送レートErや推定伝送レートErに関するＭｉｎ値とＭａｘ値を読み出し、読み出された現在の推定伝送レートErと推定伝送レートErに関するＭｉｎ値とＭａｘ値を用いて表示部１２３の表示を更新する。これにより、移動体通信端末１０１が基地局とのデータ通信が開始される場合、表示部１２３が表示する現在の推定伝送レートErや推定伝送レートErに関するＭｉｎ値とＭａｘ値が、伝送レート情報記憶部１５３に記憶される現在の推定伝送レートErや推定伝送レートErに関するＭｉｎ値とＭａｘ値に更新される。
【００６９】
ステップＳ１２３において、制御部１２０は、移動体通信端末１０１が待ち受けている基地局とのデータ通信を終了するか否かを判定し、移動体通信端末１０１が待ち受けている基地局とのデータ通信を終了すると判定するまで待機し、移動体通信端末１０１は、基地局とのデータ通信を行う。ステップＳ１２３において制御部１２０が、移動体通信端末１０１が待ち受けている基地局とのデータ通信を終了すると判定した場合、処理はステップＳ１０１に戻り、制御部１２０は、無線部１１２と受信信号処理部１１３を制御し、移動体通信システムに属するいずれかの基地局に対して待ち受けモードを開始し、その後、ステップＳ１０２以降の処理を開始する。
【００７０】
ところで、図１４と図１５を用いて説明した伝送レート表示制御処理の場合、移動体通信端末１０１は、移動体通信システムに属する基地局が利用する周波数帯域に関する推定MCSレベルと、混雑度Trとに基づいて、予測される推定伝送レートを算出し、算出された推定伝送レートErを表示するようにしたが、このような場合に限られない。すなわち、移動体通信端末１０１が待ち受け中の基地局とデータ通信中またはデータ通信時のネゴシエーション中の他の移動体通信端末１０１が基地局との間で決定したMCSを検出し、検出結果に基づいて、基地局とデータ通信中またはデータ通信時のネゴシエーション中のすべての移動体通信端末１０１に関するMCSのヒストグラム（hist；頻度分布）を作成し、作成されたMCSのヒストグラムと自端末における推定MCSレベルとを用いて、自端末における推定MCSレベルと混雑度Trに基づく推定伝送レートErを補正するようにしてもよい。これにより、単に、基地局からの報知情報または下りリソース割当情報に基づいて自端末に割り当てられる無線リソース量を推定して伝送レートを予測して表示するのではなく、他の移動体通信端末１０１に関するMCSに基づいて基地局のカバーエリア内の移動体通信端末１０１での受信品質を把握し、自端末における推定MCSレベルと比較することによって基地局スケジューラに対する自端末の選択の可能性を判断し、基地局のスケジューリングによる周波数リソース割り当ての確率まで考慮した伝送レートを予測して表示することができる。以下、この方法を用いた伝送レート表示制御処理について説明する。
【００７１】
図１７と図１８のフローチャートを参照して、図１３の移動体通信端末１０１における伝送レート表示制御処理について説明する。図１７と図１８では、移動体通信端末１０１が待ち受けモードを開始している場合を想定しており、移動体通信端末１０１は移動体通信システム（ＯＦＤＭＡの移動体通信システムなど）に属するいずれかの基地局と待ち受け中である。また、図１７と図１８の処理は、基本的には図１４と図１５の処理と同様であり、その説明は繰り返しになるので適宜省略する。
【００７２】
ステップＳ１５４において、移動体通信端末１０１は、基地局から定常的に送信される報知チャネルを受信する。割り当て情報取得部１５１は、基地局からの報知情報または下りリソース割当情報の中から、移動体通信端末１０１が待ち受け中の基地局とデータ通信中またはデータ通信時のネゴシエーションの他の移動体通信端末に関するMCSレベルを検出する。
【００７３】
その後、ステップＳ１５８において、伝送レート算出部１５２は、移動体通信システムに属する基地局が利用する周波数帯域に関する推定MCSレベルと、混雑度Trとに基づいて、予測される推定伝送レートErの基準となる基準推定伝送レートEr0を算出する。ステップＳ１５９において、伝送レート算出部１５２は、他の移動体通信端末１０１に関するMCSレベル（移動体通信端末１０１が待ち受け中の基地局とデータ通信中またはデータ通信時のネゴシエーションの他の移動体通信端末に関するMCSレベル）のヒストグラム（頻度分布）を作成する。図１９（Ａ）と（Ｂ）は、他の移動体通信端末に関するMCSレベルのヒストグラムを示している。ステップＳ１６０において、伝送レート算出部１５２は、図１９（Ａ）または（Ｂ）が示すように、他の移動体通信端末１０１に関するMCSレベルのヒストグラムの中央値ＣＶを算出する。なお、伝送レート算出部１５２は、他の移動体通信端末１０１に関するMCSレベルのヒストグラムの中央値ではなく、他の移動体通信端末１０１に関するMCSレベルのヒストグラムの平均値を算出するようにしてもよい。次に、ステップＳ１６１において、伝送レート算出部１５２は、他の移動体通信端末１０１に関するMCSレベルのヒストグラムの中央値ＣＶと、自端末の推定MCSレベルとの差分Ｄ（＝自端末の推定MCSレベル×ｋ−ＣＶ）を算出する。ここで、「ｋ」は定数である。
【００７４】
ステップＳ１６２において、伝送レート算出部１５２は、算出された差分Ｄに基づいて、基準推定伝送レートEr0を補正するための補正係数ｗを算出する。具体的には、伝送レート算出部１５２は、１つの例として次のように補正係数ｗを算出する。すなわち、伝送レート算出部１５２は、算出された差分Ｄが０である場合には、基地局のスケジューリングによる周波数リソースの割り当て確率を基準値（割り当て確率に関する基準値）に対して増加または減少させることはない（影響を与えない）と考えられることから、基準推定伝送レートEr0を補正するための補正係数ｗを１として算出（設定）し、差分Ｄが０より大きい場合には、基地局のスケジューリングによる周波数リソースの割り当て確率を基準値（割り当て確率に関する基準値）に対して増加させると考えられることから、基準推定伝送レートEr0を補正するための補正係数ｗを差分Ｄの値に応じたα（１＜α≦２）として算出（設定）し、差分Ｄが０より小さい場合には、基地局のスケジューリングによる周波数リソースの割り当て確率を基準値（割り当て確率に関する基準値）に対して増加させると考えられることから、基準推定伝送レートEr0を補正するための補正係数ｗを差分Ｄの値に応じたβ（０≦β＜１）として算出（設定）する。ここで、図１９（Ａ）は差分Ｄが０より小さい場合を示しており、図１９（Ｂ）は差分Ｄが０よりも大きい場合を示している。
【００７５】
なお、勿論、補正係数ｗの算出処理をより簡単にするために、伝送レート算出部１５２は、差分Ｄが０である場合には補正係数ｗを１に設定し、差分Ｄが０より大きい場合には、補正係数ｗを画一的に１．５に設定し、差分Ｄが０より小さい場合には、補正係数ｗを画一的に０．５に設定するようにしてもよい。
【００７６】
ステップＳ１６３において、伝送レート算出部１５２は、基準推定伝送レートEr0と補正係数ｗを用いて、予測される推定伝送レートErを算出する。具体的には、伝送レート算出部１５２は、基準推定伝送レートEr0に補正係数ｗを乗じて補正を施し、予測される推定伝送レートErを算出する。また、伝送レート算出部１５２は、算出された推定伝送レートEr（予測される推定伝送レート）に基づいて、伝送レート情報記憶部１５３に記憶される現在の推定伝送レートErを更新する。伝送レート情報記憶部１５３は、伝送レート算出部１５２の制御に従い、現在の推定伝送レートErを記憶する。これにより、移動体通信端末１０１は、移動体通信端末１０１が待ち受け中の基地局の混雑度Trに加え、基地局のスケジューリングによる周波数リソース割り当ての確率まで考慮して予測スループットを表示することが可能になる。
【００７７】
その後、処理はステップＳ１６４に進み、ステップＳ１６４以降の処理が行われる。
【００７８】
このように、本発明の第２実施形態に係る移動体通信端末１０１は、移動体通信端末１０１と移動体通信システムに属する基地局との間で無線信号を送受信し、移動体通信端末１０１と移動体通信システムに属する基地局との間で送受信される無線信号を処理し、移動体通信端末１０１と移動体通信システムに属する基地局との間の伝送路状態に応じて、予め複数定められる、変調方式と誤り訂正符号化率の組み合わせであるMCSのうちいずれか１つに移動体通信システムに属する基地局との間で決定し、決定されるMCSを用いて、移動体通信端末１０１と移動体通信システムに属する基地局との間の通信を制御し、移動体通信端末１０１が待ち受けている移動体通信システムに属する基地局からの無線信号の受信品質を検出し、移動体通信システムに属する基地局が利用する周波数帯域に含まれる各リソースブロックごとに、複数のMCSの中での、検出される受信品質に基づくMCSのMCSレベルを含むチャネル状態情報を生成し、移動体通信システムに属する基地局からの報知情報または下りリソース割当情報の中から、移動体通信システムに属する基地局が利用する周波数帯域幅と、移動体通信端末１０１が待ち受けている基地局とデータ通信中またはデータ通信時のネゴシエーション中の他の移動体通信端末１０１の数を検出し、検出される周波数帯域幅と、移動体通信端末１０１が待ち受けている基地局とデータ通信中またはデータ通信時のネゴシエーション中の他の移動体通信端末１０１の数とに基づいて、移動体通信システムに属する基地局に関する混雑度を算出し、移動体通信端末１０１が移動体通信システムに属する基地局に対して待ち受けている場合に、生成される各リソースブロックごとのチャネル状態情報に基づいて、移動体通信端末１０１が移動体通信システムに属する基地局とデータ通信をする場合における移動体通信端末１０１での推定MCSレベルを算出し、算出される推定MCSレベルと、算出される混雑度とに基づいて、移動体通信端末１０１が移動体通信システムに属する基地局とデータ通信をする場合における推定伝送速度を算出し、算出される推定伝送速度を表示することができる。
【００７９】
これにより、本発明の第２実施形態に係る移動体通信端末１０１は、待ち受け中においてもＣＱＩ測定を実施し、ＣＱＩ（MCSレベル）と推定した無線リソース量に基づいて推定伝送速度を算出してリアルタイムに表示し、通信品質（受信品質）を好適に表示することができる。そして、ユーザは、実際に伝送路状態が良い場所がどこであるかを認識することができ、ユーザに受信品質が良好な場所にて無線通信を行うよう促し、移動体通信端末１０１の低消費電力化及びセクタスループットを向上させることすることができる。また、移動体通信システムは、伝送効率のよいMCSを用いてデータ伝送を行うことができ、周波数利用効率を向上させることができる。
【００８０】
［第３実施形態］
第１実施形態と第２実施形態に係る移動体通信端末１０１は、待ち受け中においてもＣＱＩ測定を実施して受信品質（MCSレベルまたは伝送レート）を好適に表示することができる。これにより、第１実施形態と第２実施形態に係る移動体通信端末１０１は、待ち受け中においてもＣＱＩ測定を実施し、受信品質（MCSレベルまたは伝送レート）を好適に表示し、ユーザに受信品質が良好な場所にて無線通信を行うよう促し、移動体通信端末１０１の低消費電力化及びセクタスループットを向上させることすることができる。しかし、例えばユーザが基地局を経由して移動体通信端末１０１にデータをダウンロード（ＤＬ）することを所望する場合に、移動体通信端末１０１がダウンロードの開始の指示を受け付けたときに受信品質に関係なく直ちにダウンロードを開始すると、データのダウンロードに時間がかかってしまい、データのダウンロード時における消費電力を低減することができなくなる。
【００８１】
そこで、第３実施形態に係る移動体通信端末１０１は、移動体通信端末１０１がダウンロードの開始の指示を受け付けたときに受信品質（MCSレベルまたは伝送レート）に関係なくダウンロードを開始するモード（ノーマルモード）か、あるいは、受信品質が基準値よりも良好なときにダウンロードを原則として開始するモード（エコモード）か否かを予め設定することができるようにする。例えば移動体通信端末１０１が待ち受け中においてもＣＱＩ測定を実施して受信品質としてのMCSレベルを表示する場合について具体的に述べる。図２０は、移動体通信端末１０１がダウンロードに関して選択可能なモードを示している。移動体通信端末１０１がダウンロードの開始の指示を受け付けたときに受信品質に関係なくダウンロードを開始するモード（ノーマルモード）に設定する場合、図２０が示すように、移動体通信端末１０１は、移動体通信端末１０１がダウンロードの開始の指示を受け付けたときに、受信品質に関係なく直ちにダウンロードを開始する。すなわち、図２０の場合、移動体通信端末１０１がデータのダウンロード開始の指示を受け付けた後で基地局からのデータのダウンロードを開始する時刻におけるＣＱＩ Indexは「３」であり、ＣＱＩ Indexに対応するMCSレベルは「MCSレベル３」であり、移動体通信端末１０１が基地局からのデータのダウンロード中に、ＣＱＩ Indexは「３」から「５」に遷移し、ＣＱＩ Indexに対応するMCSレベルは「MCSレベル３」から「MCSレベル５」に遷移する。MCSレベルの遷移という結果だけを見れば、データのダウンロードに要する時間と、データのダウンロード時における消費電力を考慮して、移動体通信端末１０１は、MCSレベルが「MCSレベル５」に遷移した後にデータのダウンロードを開始するべきであったとも考えられる。しかし、移動体通信端末１０１が設定するモードがノーマルモードであることから、移動体通信端末１０１は、ダウンロードの開始の指示を受け付けたときに、たとえ受信品質が「MCSレベル３」であったとしても、直ちにダウンロードを開始することになる。
【００８２】
これに対して、移動体通信端末１０１が、受信品質が基準値よりも良好なときにダウンロードを原則として開始するモード（エコモード１またはエコモード２）に設定する場合、図２０が示すように、移動体通信端末１０１は、たとえダウンロードの開始の指示を受け付けたとしても、指示を受けたときの受信品質が基準値より良好でないときにはダウンロードを開始せず、受信品質が基準値よりも良好なときにダウンロードを開始する。図２０の場合、移動体通信端末１０１がデータのダウンロード開始の指示を受け付けた時刻におけるＣＱＩ Indexは「３」であり、ＣＱＩ Indexに対応するMCSレベルは「MCSレベル３」であり、移動体通信端末１０１が基地局からのデータのダウンロード中に、ＣＱＩ Indexは「３」から「５」、そして「９」、さらに「１２」に遷移し、ＣＱＩ Indexに対応するMCSレベルは「MCSレベル３」から「MCSレベル５」、そして「MCSレベル９」、さらに「MCSレベル１２」に遷移する。移動体通信端末１０１が設定するモードがエコモード１であることから、移動体通信端末１０１は、ダウンロードの開始の指示を受けたときの受信品質が基準値（図２０の場合、基準値はMCSレベル１０である）より良好でないときにはダウンロードを開始せず、受信品質が基準値よりも良好となったときにダウンロードを開始することになる。なお、移動体通信端末１０１が設定するエコモード１では、移動体通信端末１０１は、データのダウンロード完了時刻制限を敢えて設けずに、受信品質が基準値よりも良好なときにのみダウンロードを開始するモードである。従って、移動体通信端末１０１がデータのダウンロードの開始の指示を受けたとしても、受信品質が基準値よりも良好にならない限りデータのダウンロードは開始されない。
【００８３】
これに対して、移動体通信端末１０１が設定するエコモード２では、移動体通信端末１０１は、データのダウンロード完了時刻制限を設け、受信品質が基準値よりも良好なときに原則としてダウンロードを開始しつつ、データのダウンロード完了時刻間近までデータのダウンロードが開始されないときには、たとえ受信品質が基準値よりも良好でなくても、データのダウンロード完了時刻制限内でデータのダウンロードが完了するようにデータのダウンロードを開始する。移動体通信端末１０１が設定するモードがエコモード２であることから、移動体通信端末１０１は、ダウンロードの開始の指示を受けたときの受信品質が基準値（図２０の場合、基準値はMCSレベル１０である）より良好でないときにはダウンロードを開始せず、受信品質が基準値よりも良好となったときにダウンロードを原則として開始するが、ダウンロード完了時刻制限内でデータのダウンロードが完了するように、データのダウンロードが開始される。
【００８４】
図２１のフローチャートを参照して、図８または図１３の移動体通信端末１０１におけるダウンロードモード設定処理について説明する。
【００８５】
ステップＳ２０１において、制御部１２０は、ユーザにより操作部１２２が操作されることによりデータのダウンロードモードの設定処理を開始するとの指示が受け付けられたか否かを判定し、データのダウンロードモードの設定処理を開始するとの指示が受け付けられたと判定するまで待機する。ステップＳ２０１において制御部１２０が、データのダウンロードモードの設定処理を開始するとの指示が受け付けられたと判定した場合、制御部１２０はステップＳ２０２で、データのダウンロードモードに関する選択を受け付ける。データのダウンロードモードには、移動体通信端末１０１がダウンロードの開始の指示を受け付けたときに受信品質に関係なくダウンロードを開始するモード（ノーマルモード）、データのダウンロード完了時刻制限を敢えて設けずに受信品質が基準値よりも良好なときにのみダウンロードを開始するエコモード１、データのダウンロード完了時刻制限を設けて受信品質が基準値よりも良好なときに原則としてダウンロードを開始しつつ、データのダウンロード完了時刻間近までデータのダウンロードが開始されないときにはデータのダウンロード完了時刻制限内でデータのダウンロードが完了するようにデータのダウンロードを開始するエコモード２がある。ユーザは、この３つのダウンロードモードのうちのいずれか１つのモードを任意に選択することができる。ステップＳ２０３において、制御部１２０は、データのダウンロードモードに関する選択に従い、データのダウンロードモードを、選択が受け付けられたダウンロードモードに設定する。ステップＳ２０４において、制御部１２０は、ダウンロードモードに関する設定情報を記憶部１２４に記憶させる。ステップＳ２０５において、制御部１２０は、制御部１２０の制御に従い、ダウンロードモードに関する設定情報を記憶する。
【００８６】
次に、図２２のフローチャートを参照して、図８の移動体通信端末１０１におけるデータダウンロード制御処理について説明する。図２２では、移動体通信端末１０１が待ち受けモードを開始している場合を想定しており、移動体通信端末１０１は移動体通信システム（ＯＦＤＭＡの移動体通信システムなど）に属するいずれかの基地局と待ち受け中である。また、移動体通信端末１０１は、基本的に、データダウンロード制御処理に並列して、図９を用いて説明したMCSレベル表示制御処理を実行する。
【００８７】
ステップＳ２５１において、制御部１２０は、無線部１１２や受信信号処理部１１３を制御し、移動体通信システムに属するいずれかの基地局に対して待ち受けモードを開始する。ステップＳ２５２において、制御部１２０は、ユーザにより操作部１２２が操作されることによりデータのダウンロードを開始するとの指示が受け付けられたか否かを判定し、データのダウンロードを開始するとの指示が受け付けられるまで待機する。なお、移動体通信端末１０１は、データのダウンロードを開始するとの指示を受け付けるまで待機する場合、図９を用いて説明したMCSレベル表示制御処理を並列的に実行する。
【００８８】
ステップＳ２５２において制御部１２０が、データのダウンロードを開始するとの指示が受け付けられたと判定した場合、制御部１２０はステップＳ２５３で、記憶部１２４に記憶されるダウンロード設定情報を読み出し、読み出されたダウンロード設定情報に基づいて、設定されたデータのダウンロードモードがノーマルモードであるか否かを判定する。ステップＳ２５３において制御部１２０が、設定されたデータのダウンロードモードがノーマルモードであると判定した場合、移動体通信端末１０１が直ちにデータのダウンロードを開始することができるように、処理はステップＳ２５８に進む。ステップＳ２５８において、制御部１２０は、無線部１１２、受信信号処理部１１３、ＳＩＮＲ測定部１２５、ＣＱＩ情報生成部１２６、および送信信号処理部１３０を制御し、基地局との間でネゴシエーションを行い、通信に使用するMCSを決定する。なお、MCSの決定方法については、図９のステップＳ１０の決定方法と同様である。ステップＳ２５９において、移動体通信端末１０１の制御部１２０は、無線部１１２、受信信号処理部１１３、および送信信号処理部１３０を制御し、基地局とのネゴシエーションで決定したMCSを用いて基地局からのデータのダウンロードを開始する。その後、移動体通信端末１０１は基地局からのデータのダウンロードを終了すると、処理はステップＳ２６０に進む。ステップＳ２６０において、制御部１２０は、無線部１１２や受信信号処理部１１３を制御し、移動体通信システムに属するいずれかの基地局に対して行う待ち受けモードに復帰する。
【００８９】
一方、ステップＳ２５３において制御部１２０が、設定されたデータのダウンロードモードがノーマルモードではないと判定した場合、制御部１２０はステップＳ２５４で、読み出されたダウンロード設定情報に基づいて、設定されたデータのダウンロードモードがエコモードのうちのエコモード１であるか否かを判定する。ステップＳ２５４において制御部１２０が、データのダウンロードモードがエコモード１であると判定した場合、制御部１２０はステップＳ２５５で、移動体通信端末１０１が接続する移動体通信システムに属する基地局が利用する周波数帯域に含まれるすべてのリソースブロックでのＳＩＮＲを測定することができるように、無線部１１２と受信信号処理部１１３を制御する。ＳＩＮＲ測定部１２５は、ページング周期またはページング周期の整数倍（２倍や３倍など）の周期で、移動体通信端末１０１が接続する移動体通信システムに属する基地局が利用する周波数帯域に含まれる各ＲＢ（リソースブロック）で、受信信号処理部１１３からの受信信号に関する無線伝送路品質（ＳＩＮＲ）を測定し、各ＲＢでの測定結果をＣＱＩ情報生成部１２６に出力する。ＣＱＩ情報生成部１２６は、移動体通信システムに属する基地局が利用する周波数帯域に含まれる各ＲＢで、ＳＩＮＲ測定部１２５による測定結果に基づいて受信可能なMCSを決定し、決定された伝送フォーマット（変調方式と誤り訂正符号化率の組合せ）に基づいてチャネル状態情報（ＣＱＩ情報）を生成する。各ＲＢごとのＣＱＩ情報には、変調方式と誤り訂正符号化率の組み合わせ（MCS）を示すＣＱＩ Indexと、ＣＱＩ Indexに対応するMCSレベルが含まれている。ＣＱＩ情報生成部１２６は、各ＲＢごとのＣＱＩ情報をＣＱＩ情報制御部１２７に出力する。
【００９０】
ステップＳ２５６において、ＣＱＩ情報制御部１２７は、移動体通信端末１０１が接続する移動体通信システムに属する基地局が利用する周波数帯域に含まれる各ＲＢごとのＣＱＩ情報を取得し、取得された各ＲＢごとのＣＱＩ情報に基づいて、移動体通信システムに属する基地局が利用する周波数帯域に関する推定MCSレベルを算出する。なお、ステップＳ２５６における移動体通信システムに属する基地局が利用する周波数帯域に関する推定MCSレベルの算出方法は、図９のステップＳ３における算出方法と基本的には同様であり、その説明は繰り返しになるので省略する。また、ＣＱＩ情報制御部１２７は、算出された推定MCSレベルに基づいて、ＣＱＩ情報記憶部１２８に記憶される現在の推定MCSレベルを更新する。ＣＱＩ情報記憶部１２８は、ＣＱＩ情報制御部１２７の制御に従い、現在の推定MCSレベルを記憶する。さらに、このとき、図９のステップＳ３乃至Ｓ７の処理と同様に、ＣＱＩ情報記憶部１２８は、ＣＱＩ情報制御部１２７の制御に従い、現在の推定MCSレベルと推定MCSレベルに関するＭｉｎ値とＭａｘ値を更新する。
【００９１】
ステップＳ２５７において、ＣＱＩ情報制御部１２７は、算出されたMCSレベルが予め設定された基準値以上であるか否かを判定する。この基準値は、データのダウンロードを開始するか否かを判定するための受信品質に関する基準値であり、例えば「MCSレベル１０」などの固定値として予め設定される。勿論、この基準値は、ユーザにより任意の値に設定されてもよいし、適宜その値が変更されてもよい。また、この基準値は、推定MCSレベルに関するＭｉｎ値よりもＮ段階レベルが高いMCSレベルに設定されるようにしてもよいし、あるいはMCSレベルに関するＭａｘ値よりもＮ段階低いMCSレベルに設定されるようにしてもよい。例えば推定MCSレベルに関するＭｉｎ値が「MCSレベル２」である場合に、「MCSレベル２」よりも６段階レベル（Ｎ段階＝６段階となる）が高い「MCSレベル８」が基準値に設定される。「Ｎ」の値はユーザにより任意の値に設定されてもよい。さらに、移動体通信端末１０１は、例えばデータのダウンロードを開始するとの指示が受け付けられた時刻での現在の推定MCSレベルに基づいて、データのダウンロードを開始するか否かを判定するための受信品質に関する基準値を設定するようにしてもよい。具体的には、移動体通信端末１０１は、例えばデータのダウンロードを開始するとの指示が受け付けられた時刻での現在の推定MCSレベルよりもＮ段階レベルが高いMCSレベルを、基準値に設定するようにしてもよい。なお、例えばＮの値を「５」とした場合に、現在の推定MCSレベルが「MCSレベル１３」であるときには、基準値に最大レベル「MCSレベル１５」を設定する。
【００９２】
ステップＳ２５７においてＣＱＩ情報制御部１２７が、算出されたMCSレベルが予め設定された基準値以上ではないと判定した場合、処理はステップＳ２５５に戻り、ステップＳ２５５以降の処理が繰り返し実行される。これにより、移動体通信端末１０１は、ダウンロードの開始の指示を受けたときの受信品質が基準値より良好でないときにはダウンロードを開始しないようにすることができる。一方、ステップＳ２５７においてＣＱＩ情報制御部１２７が、算出されたMCSレベルが予め設定された基準値以上であると判定した場合、処理はステップＳ２５８に進み、ステップＳ２５８以降の処理によって、移動体通信端末１０１は、基地局との間でネゴシエーションを行い、通信に使用するMCSを決定し、基地局とのネゴシエーションで決定したMCSを用いて基地局からのデータのダウンロードを開始する。
【００９３】
一方、ステップＳ２５４において制御部１２０が、データのダウンロードモードがエコモード１ではないと判定した場合、制御部１２０はデータのダウンロードモードがエコモード２であると認識し、移動体通信端末１０１は、ステップＳ２６１乃至Ｓ２６３の処理を実行する。なお、ステップＳ２６１乃至ステップＳ２６３の処理は上述したステップＳ２５５乃至Ｓ２５７の処理と同様である。ステップＳ２６３においてＣＱＩ情報制御部１２７が、算出されたMCSレベルが予め設定された基準値以上であると判定した場合、処理はステップＳ２５８に進む。ステップＳ２６３においてＣＱＩ情報制御部１２７が、算出されたMCSレベルが予め設定された基準値以上ではないと判定した場合、ＣＱＩ情報制御部１２７はステップＳ２６４で、ダウンロード完了時刻から所定の時間前であるか否かを判定する。このダウンロード完了時刻は、ユーザにより、データのダウンロードの開始指示のときに入力されるようにしてもよいし、ダウンロードの開始指示時刻から何時間後の時刻のように、予め画一的に設定されるようにしてもよい。そして、所定の時間とは、例えば３０分などである。
【００９４】
ステップＳ２６４においてＣＱＩ情報制御部１２７が、ダウンロード完了時刻から所定の時間前ではないと判定した場合、処理はステップＳ２６１に戻り、ステップＳ２６１以降の処理が繰り返し実行される。一方、ステップＳ２６４においてＣＱＩ情報制御部１２７が、ダウンロード完了時刻から所定の時間前であると判定した場合、処理はステップＳ２５８に進み、ステップＳ２５８以降の処理によって、移動体通信端末１０１は、基地局との間でネゴシエーションを行い、通信に使用するMCSを決定し、受信品質に関係なく、基地局とのネゴシエーションで決定したMCSを用いて基地局からのデータのダウンロードを強制的に開始する。
【００９５】
次に、図２３のフローチャートを参照して、図１３の移動体通信端末１０１におけるデータダウンロード制御処理について説明する。図２３では、移動体通信端末１０１が待ち受けモードを開始している場合を想定しており、移動体通信端末１０１は移動体通信システム（ＯＦＤＭＡの移動体通信システムなど）に属するいずれかの基地局と待ち受け中である。また、移動体通信端末１０１は、基本的に、データダウンロード制御処理に並列して、図１４乃至図１５を用いて説明したMCSレベル表示制御処理を実行する。なお、図２３のステップＳ２８１乃至Ｓ２８４、ステップＳ２８６乃至Ｓ２８７、ステップＳ２９３乃至Ｓ２９５、およびステップＳ２９７乃至Ｓ２９８の処理は、図２２のステップＳ２５１乃至Ｓ２５６、ステップＳ２５８乃至Ｓ２６０、およびステップＳ２６１乃至Ｓ２６２の処理と同様であり、その説明は繰り返しになるので省略する。また、図２３のステップＳ２８５、ステップＳ２８８乃至Ｓ２８９、ステップＳ２９６、およびステップＳ２９９乃至Ｓ３００の処理は、図１４のステップＳ１０２乃至Ｓ１０３、およびステップＳ１０６乃至Ｓ１０７の処理と同様であり、その説明は繰り返しになるので省略する。
【００９６】
ステップＳ２８４において制御部１２０が、データのダウンロードモードがエコモード１であると判定した場合、処理はステップＳ２８５に進み、ステップＳ２８５以降の処理が実行される。そして、ステップＳ２９０において、伝送レート算出部１５２は、ダウンロードするデータのコンテンツ容量と、予測される推定伝送レートErとに基づいて、データをダウンロードした場合に要する推定ダウンロード時間（＝コンテンツ容量／予測される推定伝送レートEr）を算出する。例えばダウンロードするデータのコンテンツ容量が２４０［Ｍｂｉｔ］であり、かつ予測される推定伝送レートErが１．２［Ｍｂｐｓ］場合に、推定ダウンロード時間は、２４０／１．２＝２００［ｓ］となる。なお、このコンテンツ容量は、移動体通信端末１０１において予め既知の値とする。
【００９７】
ステップＳ２９１において、制御部１２０は、推定ダウンロード時間に関する基準値を設定する。以下に、具遺体的な推定ダウンロード時間に関する基準値の設定方法について説明する。まず、第１の基準値設定方法について説明する。この場合、制御部１２０は、ＲＳＳＩ測定部１２１からの受信信号強度に関する測定結果に基づいて、基地局からの電波のカバーエリアの広さを推定し、基地局のカバーエリアの広さに応じて推定ダウンロード時間に関する基準値を設定する。受信信号強度は基地局の送信電力に比例して大きくなることから、受信信号強度が大きければ、それに伴い基地局のカバーエリアは広くなると考えられ、受信信号強度が小さければ、それに伴い基地局のカバーエリアは狭くなると考えられる。基地局のカバーエリアが広くなると（基地局がマクロセルであると）、移動体通信端末１０１にて測定されるＣＱＩは急変せず、安定していると推測される。一方、基地局のカバーエリアが狭くなると（基地局がマイクロセルであると）、移動体通信端末１０１にて測定されるＣＱＩは急変する可能性が高い。そこで、移動体通信端末１０１は、基地局のカバーエリアサイズに応じて、推定ダウンロード時間に関する基準値を変更し、基地局のカバーエリアサイズが大きい場合には、推定ダウンロード時間に関する基準値を大きくし、基地局のカバーエリアサイズが小さい場合には、推定ダウンロード時間に関する基準値を小さくする。例えば予め推定ダウンロード時間に関する基準値として２０［ｓ］と１２０［ｓ］とを用意しておき、移動体通信端末１０１は、基地局のカバーエリアサイズが所定のしきい値よりも大きい場合、推定ダウンロード時間に関する基準値を１２０［ｓ］に設定し、基地局のカバーエリアサイズが所定のしきい値以下である場合、推定ダウンロード時間に関する基準値を２０［ｓ］に設定する。
【００９８】
図２４は、基地局のカバーエリアサイズに応じて推定ダウンロード時間に関する基準値を設定する設定方法を説明する説明図である。図２４が示すように、例えばユーザが移動体通信端末１０１を持って地下鉄で移動している場合、停車駅で地下鉄が停車する間はカバーエリアサイズが小さい基地局（マイクロセル）に接続することが可能であるが、地下鉄が停車駅間で走行している最中は圏外となってしまう。このとき、基地局のカバーエリアサイズが所定のしきい値以下であることから、移動体通信端末１０１は、推定ダウンロード時間に関する基準値を例えば２０［ｓ］に設定する。一方、ユーザが地下鉄を降りて地上に出た場合には、カバーエリアサイズが大きい基地局（マクロセル）に接続することが可能であり、基地局のカバーエリアサイズが所定のしきい値よりも大きいことから、移動体通信端末１０１は、推定ダウンロード時間に関する基準値を例えば１２０［ｓ］に設定する。
【００９９】
勿論、移動体通信端末１０１は、基地局のカバーエリアサイズに応じて、推定ダウンロード時間に関する基準値を多段階で設定するようにしてもよい。すなわち、移動体通信端末１０１は、基地局のカバーエリアサイズに関する所定のしきい値を複数設けておき、複数のしきい値によって区分される基地局のカバーエリアサイズに応じて、推定ダウンロード時間を多段階で設定する。これにより、移動体通信端末１０１は、伝送レートとＣＱＩの変動に応じて高精細に適切な推定ダウンロード時間に関する基準値を設定することができる。
【０１００】
次に、第２の基準値設定方法について説明する。この場合、制御部１２０は、無線部１１２と受信信号処理部１１３を制御し、データダウンロード制御処理と並列して、ハンドオーバー（ＨＯ）やセルサーチ（基地局探索）が発生したか否かを判定しており、ハンドオーバーやセルサーチの回数をカウントアップする。そして、ステップＳ２９１において、制御部１２０は、ハンドオーバー（ＨＯ）やセルサーチ（基地局探索）の頻度（回数）に応じて、推定ダウンロード時間に関する基準値を設定する。なお、「ハンドオーバー」とは基地局の切り替えを意味し、「基地局探索」とはいわゆるセルサーチと呼ばれる処理であり、移動体通信端末１０１が接続するべき最も伝搬ロスの小さいセル（基地局）の周波数と受信タイミングおよびセル番号（ＩＤ）を検出する処理を意味する。
【０１０１】
ユーザが保有する移動体通信端末１０１が低速移動中である場合、ハンドオーバーやセルサーチは頻繁には発生せず、移動体通信端末１０１にて測定されるＣＱＩは急変せず、安定していると推測される。一方、ユーザが保有する移動体通信端末１０１が高速移動中である場合、ハンドオーバーやセルサーチは頻繁に発生し、移動体通信端末１０１にて測定されるＣＱＩは急変する可能性が高い。そこで、移動体通信端末１０１は、ハンドオーバーやセルサーチの頻度に応じて、推定ダウンロード時間に関する基準値を変更し、ハンドオーバーやセルサーチの単位時間あたりの回数が多い場合には、推定ダウンロード時間に関する基準値を大きくし、ハンドオーバーやセルサーチの単位時間あたりの回数が少ない場合には、推定ダウンロード時間に関する基準値を小さくする。例えば予め推定ダウンロード時間に関する基準値として３０［ｓ］と１８０［ｓ］とを用意しておき、移動体通信端末１０１は、ハンドオーバーやセルサーチの単位時間あたりの回数が所定のしきい値よりも大きい場合、推定ダウンロード時間に関する基準値を１８０［ｓ］に設定し、ハンドオーバーやセルサーチの単位時間あたりの回数が所定のしきい値以下である場合、推定ダウンロード時間に関する基準値を３０［ｓ］に設定する。
【０１０２】
図２５は、ハンドオーバーの単位時間あたりの回数に応じて推定ダウンロード時間に関する基準値を設定する設定方法を説明する説明図である。図２５が示すように、例えばユーザが移動体通信端末１０１を持って電車で移動している場合、頻繁にハンドオーバーは発生し、ハンドオーバーの単位時間あたりの回数が所定のしきい値以下であることから、移動体通信端末１０１は、推定ダウンロード時間に関する基準値を例えば３０［ｓ］に設定する。一方、ユーザが家にいる場合などには、頻繁にはハンドオーバーは発生せず、ハンドオーバーの単位時間あたりの回数が所定のしきい値よりも多いことから、移動体通信端末１０１は、推定ダウンロード時間に関する基準値を例えば１８０［ｓ］に設定する。
【０１０３】
勿論、移動体通信端末１０１は、ハンドオーバーまたはセルサーチの回数に応じて、推定ダウンロード時間に関する基準値を多段階で設定するようにしてもよい。
【０１０４】
制御部１２０は、設定された推定ダウンロード時間に関する基準値を伝送レート算出部１５２に出力する。ステップＳ２９１において、伝送レート算出部１５２は、設定された推定ダウンロード時間に関する基準値を用いて、算出された推定ダウンロード時間が予め設定された推定ダウンロード時間に関する基準値以上であるか否かを判定する。ステップＳ２９１において伝送レート算出部１５２が、算出された推定ダウンロード時間が予め設定された推定ダウンロード時間に関する基準値以上ではないと判定した場合、処理はステップＳ２８５に戻り、ステップＳ２８５以降の処理が繰り返し実行される。一方、ステップＳ２９１において伝送レート算出部１５２が、算出された推定ダウンロード時間が予め設定された推定ダウンロード時間に関する基準値以上であると判定した場合、処理はステップＳ２９３に進む。
【０１０５】
一方、ステップＳ２８４において制御部１２０が、データのダウンロードモードがエコモード１ではないと判定した場合、制御部１２０は、データのダウンロードモードがエコモード２であると認識し、処理はステップＳ２９６に進み、ステップＳ２９６以降の処理が実行される。そして、ステップＳ３０１において、伝送レート算出部１５２は、ダウンロードするデータのコンテンツ容量と、予測される推定伝送レートErとに基づいて、データをダウンロードした場合に要する推定ダウンロード時間（＝コンテンツ容量／予測される推定伝送レートEr）を算出する。ステップＳ３０２における推定ダウンロード時間に関する基準値の設定処理は、ステップＳ２９１の設定処理と同様であり、また、ステップＳ３０３の判定処理もステップＳ２９２の判定処理と同様であり、その説明は繰り返しになるので省略する。
【０１０６】
ステップＳ３０３において伝送レート算出部１５２が、算出された推定ダウンロード時間が予め設定された推定ダウンロード時間に関する基準値以上ではないと判定した場合、伝送レート算出部１５２はステップＳ３０４で、算出された推定ダウンロード時間を、現在の時刻に加算した時刻が、ダウンロード完了時刻を越えるか否かを判定する。ステップＳ３０４において伝送レート算出部１５２が、算出された推定ダウンロード時間を、現在の時刻に加算した時刻がダウンロード完了時刻を越えないと判定した場合、処理はステップＳ２９６に戻り、ステップＳ２９６以降の処理が繰り返し実行される。これにより、
一方、ステップＳ３０４において伝送レート算出部１５２が、算出された推定ダウンロード時間を、現在の時刻に加算した時刻がダウンロード完了時刻を越えると判定した場合、処理はステップＳ２９３に進み、ステップＳ２９３以降の処理が実行される。これにより、移動体通信端末１０１は、基地局との間でネゴシエーションを行い、通信に使用するMCSを決定し、受信品質に関係なく、基地局とのネゴシエーションで決定したMCSを用いて基地局からのデータのダウンロードを強制的に開始する。なお、ステップＳ３０４においては、移動体通信端末１０１は、算出された推定ダウンロード時間を、現在の時刻に加算した時刻がダウンロード完了時刻を越えるか否かを判定するようにしたが、ダウンロード完了時刻より前に確実にデータのダウンロードが完了するようにするためにある程度のマージンを持たせ、移動体通信端末１０１は、算出された推定ダウンロード時間を、現在の時刻に加算した時刻がダウンロード完了時刻からマージン分を引いた時刻を越えるか否かを判定するようにしてもよい。
【０１０７】
なお、図２３の場合、推定伝送レートErを算出するにあたり、他の移動体通信端末１０１に関するMCSレベルのヒストグラムを用いた補正を施していないが、図１７および図１８を用いて説明したように、他の移動体通信端末１０１に関するMCSレベルのヒストグラムを用いた補正を施して推定伝送レートErを算出した上で推定ダウンロード時間を算出するようにしても良い。
【０１０８】
［第４実施形態］
ところで、受信品質（通信品質）の測定をユーザの指示に基づいて任意のタイミングで開始し、ＧＰＳ測位に基づく位置情報とＣＱＩ情報（MCSレベル）と関連付ける通信品質ＭＡＰを作成し、作成された通信品質ＭＡＰを表示するようにしてもよい。これにより、ユーザは、任意のタイミングで、ユーザがいる場所付近における通信品質を視覚的に容易に確認することができる。以下、この方法を用いた通信品質ＭＡＰ表示処理について説明する。
【０１０９】
図２６は、本発明の第４実施形態に係る移動体通信端末１０１の内部の構成を表している。なお、図２６の構成は、図８が示す本発明の第１実施形態に係る移動体通信端末１０１の構成と基本的には同様である。図８の構成と対応するものについては同一の符号を付しており、異なる構成以外については説明を省略する。
【０１１０】
図示せぬＧＰＳ衛星からのＧＰＳ波（ＧＰＳ情報）は、ＧＰＳ用アンテナ２０１で受信される。ＧＰＳ情報には、例えばそれぞれのＧＰＳ衛星からの発信時刻情報が含まれている。その後、このＧＰＳ情報はＧＰＳ受信部２０２を経由して制御部１２０に入力される。そして、制御部１２０は、取得されたＧＰＳ情報を用いて、移動体通信端末１０１の現在地を示す位置情報（緯度経度の情報）を計算し（例えば３つ乃至４つのＧＰＳ情報から計算することが望ましい）、移動体通信端末１０１の現在地を示す位置情報を求める。なお、ＧＰＳ情報に基づいて求められる位置情報として、緯度経度を取得することが一般的であるが、更に緯度経度に対応した住所情報を取得するようにしてもよい。緯度経度や、緯度経度に対応した住所情報を取得する際には、外部のサーバ（図示せず）などにアクセスして住所情報を得るようにしてもよい。従って、「位置情報」とはＧＰＳ情報から計算された位置情報（例えば緯度経度情報）や、その情報に対応する住所情報などの情報も含むものとする。
【０１１１】
ＧＰＳ受信部２０２は、整合回路とＧＰＳ受信回路を備える。ＧＰＳ用アンテナ２０１にて受信されたＧＰＳ波（ＧＰＳ情報）は、ＧＰＳ受信部２０２の整合回路に入力される。整合回路は、インピーダンスの異なる回路での伝送特性を向上させるために用いられる素子であり、ＧＰＳ用アンテナ２０１からのＧＰＳ波（ＧＰＳ情報）のインピーダンス整合処理を行う。インピーダンス整合処理後のＧＰＳ波は、ＧＰＳ用受信回路に出力され、ＧＰＳ用受信回路にてＧＰＳ波（ＧＰＳ情報）が受信される。
【０１１２】
図２７のフローチャートを参照して、図２６の移動体通信端末１０１における通信品質ＭＡＰ表示処理について説明する。なお、図２７の場合、ユーザは、移動体通信端末１０１を持って出発地にいるときに、ＣＱＩ測定を開始するとの指示を移動体通信端末１０１にし、その後ユーザは移動して目的地に到着したときに、ＣＱＩ測定を終了するとの指示を移動体通信端末１０１にするものとする。
【０１１３】
ステップＳ４０１において、制御部１２０は、ユーザにより操作部１２２が操作されることによりＣＱＩ測定を開始するとの指示が受け付けられたか否かを判定し、ＣＱＩ測定を開始するとの指示が受け付けられたと判定するまで待機する。ステップＳ４０１において制御部１２０が、ＣＱＩ測定を開始するとの指示が受け付けられたと判定した場合、制御部１２０は、ＧＰＳ受信部２０２を起動する。ステップＳ２０３において、制御部１２０は、ＧＰＳ受信部２０２を介して、ＧＰＳ測位に基づく位置情報を図示せぬＧＰＳ衛星から取得する。具体的には、図示せぬＧＰＳ衛星からのＧＰＳ波（ＧＰＳ情報）は、ＧＰＳ用アンテナ２０１で受信される。このＧＰＳ情報には、例えばそれぞれのＧＰＳ衛星からの発信時刻情報が含まれている。その後、このＧＰＳ情報はＧＰＳ受信部２０２を経由して制御部１２０に入力される。制御部１２０は、図示せぬＧＰＳ衛星からのＧＰＳ波（ＧＰＳ情報）を取得し、取得されたＧＰＳ情報を用いて、移動体通信端末１０１の現在地を示す位置情報（緯度経度の情報）を計算し、移動体通信端末１０１の現在地を示す位置情報（ＧＰＳ測位に基づく位置情報）を求める。これにより、移動体通信端末１０１の現在地に関し、ＧＰＳ測位に基づく位置情報が取得される。
【０１１４】
ステップＳ２０４において、制御部１２０は、移動体通信端末１０１が接続する移動体通信システムに属する基地局が利用する周波数帯域に含まれるすべてのリソースブロックでのＳＩＮＲを測定することができるように、無線部１１２と受信信号処理部１１３を制御する。ＳＩＮＲ測定部１２５は、ページング周期またはページング周期の整数倍（２倍や３倍など）の周期で、移動体通信端末１０１が接続する移動体通信システムに属する基地局が利用する周波数帯域に含まれる各ＲＢ（リソースブロック）で、受信信号処理部１１３からの受信信号に関する無線伝送路品質（ＳＩＮＲ）を測定し、各ＲＢでの測定結果をＣＱＩ情報生成部１２６に出力する。ＣＱＩ情報生成部１２６は、移動体通信システムに属する基地局が利用する周波数帯域に含まれる各ＲＢで、ＳＩＮＲ測定部１２５による測定結果に基づいて受信可能なMCSを決定し、決定された伝送フォーマット（変調方式と誤り訂正符号化率の組合せ）に基づいてチャネル状態情報（ＣＱＩ情報）を生成する。各ＲＢごとのＣＱＩ情報には、変調方式と誤り訂正符号化率の組み合わせ（MCS）を示すＣＱＩ Indexと、ＣＱＩ Indexに対応するMCSレベルが含まれている。ＣＱＩ情報生成部１２６は、各ＲＢごとのＣＱＩ情報をＣＱＩ情報制御部１２７に出力する。
【０１１５】
ステップＳ４０５において、ＣＱＩ情報制御部１２７は、移動体通信端末１０１が接続する移動体通信システムに属する基地局が利用する周波数帯域に含まれる各ＲＢごとのＣＱＩ情報を取得し、取得された各ＲＢごとのＣＱＩ情報に基づいて、移動体通信システムに属する基地局が利用する周波数帯域に関する推定MCSレベルを算出する。MCSレベルの算出方法は、図９のステップＳ３における算出方法と基本的には同様であり、その説明は繰り返しになるので省略する。ＣＱＩ情報制御部１２７は、算出されたMCSレベルに基づいて、ＣＱＩ情報記憶部１２８に記憶される現在の推定MCSレベルを更新するとともに、算出されたMCSレベルを順次時系列的にＣＱＩ情報記憶部１２８に記憶させる。ＣＱＩ情報記憶部１２８は、ＣＱＩ情報制御部１２７の制御に従い、現在の推定MCSレベルを記憶するとともに、算出されたMCSレベルを順次時系列的に記憶する。
【０１１６】
ステップＳ４０６において、制御部１２０は、MCSレベルの算出がＮ回行われたか否かを判定する。ステップＳ４０６において制御部１２０が、MCSレベルの算出がＮ回行われていないと判定した場合、処理はステップＳ４０４に戻り、ステップ４０４以降の処理が行われ、推定MCSレベルの算出はＮ回に達するまで所定の周期（ページング周期またはページング周期の整数倍の周期）ごとに実行される。一方、ステップＳ４０６において制御部１２０が推定MCSレベルの算出がＮ回行われたと判定した場合、ステップＳ４０７において、制御部１２０は、ＣＱＩ情報記憶部１２８に時系列的に記憶されるＮ個のMCSレベルの平均値を算出する。ステップＳ４０８において、制御部１２０は、算出された推定MCSレベルの平均値とＧＰＳ測位に基づく位置情報とを関連付けて記憶部１２４に記憶させる。ステップＳ４０９において、制御部１２０は、ユーザにより操作部１２２が操作されることによりＣＱＩ測定を終了するとの指示が受け付けられたか否かを判定する。ステップＳ４０９において制御部１２０が、ＣＱＩ測定を終了するとの指示が受け付けられていないと判定した場合、処理はステップＳ４０３に戻り、移動体通信端末１０１は、再度ＧＰＳ測位に基づく位置情報を取得した後にＮ回の推定MCSレベルを算出する。これにより、ＣＱＩ測定を終了するとの指示が受け付けられるまで、ＧＰＳ測位に基づく位置情報の取得と推定MCSレベルのＮ回の算出が繰り返して行われる。
【０１１７】
ステップＳ４０９において制御部１２０が、ＣＱＩ測定を終了するとの指示が受け付けられたと判定した場合、制御部１２０はステップＳ４１０で、移動体通信端末１０１が取得した各ＧＰＳ測位に基づく位置情報に基づいて、ユーザの出発地と目的地が含まれる地図情報を図示せぬコンテンツサーバから基地局を経由して取得する。なお、地図情報は、予め移動体通信端末１０１の記憶部１２４に記憶させるようにしてもよい。ステップＳ４１１において、制御部１２０は、記憶部１２４に記憶される各ＧＰＳ情報と、各ＧＰＳ情報に関連付けられて記憶されるMCSレベルと、さらにコンテンツサーバから取得された地図情報とに基づいて、通信品質ＭＡＰを作成する。図２８は、制御部１２０が作成する通信品質ＭＡＰを表している。図２８が示されるように、Ａ区間（ユーザが出発地を出てから６０（ｓ）経過するまでの区間）ではMCSレベルは「MCSレベル１２」であり、Ｂ区間（ユーザが出発地を出てから１２０（ｓ）経過するまでの区間）ではMCSレベルは「MCSレベル８」であり、Ｃ区間（ユーザが出発地を出てから１８０（ｓ）経過するまでの区間）では、MCSレベルは「MCSレベル１５」であり、Ｄ区間（ユーザが出発地を出てから２４０（ｓ）経過するまでの区間）では、MCSレベルは「MCSレベル４」である。
【０１１８】
ステップＳ４１２において、制御部１２０は、作成された通信品質ＭＡＰを表示部１２３に表示させる。表示部１２３は、制御部１２０の制御に従い、通信品質ＭＡＰを表示する。
【０１１９】
これにより、ユーザは、任意のタイミングで、ユーザがいる場所付近における通信品質を視覚的に容易に確認することができる。
【０１２０】
なお、本発明の実施形態において説明した一連の処理は、ソフトウェアにより実行させることもできるが、ハードウェアにより実行させることもできる。
【０１２１】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【０１２２】
さらに、実施形態に明示的に記載された処理は、適宜組み合わせるようにしてもよい。
【符号の説明】
【０１２３】
１…基地局、２（２−１乃至２−２）…従来の移動体通信端末、１１…送受信アンテナ、１２…無線部、１３…受信信号処理部、１４…受信データ処理部、１５…ＰＣＭコーデック、１６…受話増幅器、１７…レシーバ、１８…送話増幅器、１９…マイクロフォン、２０…制御部、２１…ＲＳＳＩ測定部、２２…操作部、２３…表示部、２４…記憶部、２５…ＳＩＮＲ測定部、２６…ＣＱＩ情報生成部、２７…送信データ処理部、２８…送信データ処理部、３１…復調部、３２…レート変換部、３３…復号部、３４…誤り検出部、４１…符号部、４２…変調部、１０１…本発明の移動体通信端末、１１１…送受信アンテナ、１１２…無線部、１１３…受信信号処理部、１１４…受信データ処理部、１１５…ＰＣＭコーデック、１１６…受話増幅器、１１７…レシーバ、１１８…送話増幅器、１１９…マイクロフォン、１２０…制御部、１２１…ＲＳＳＩ測定部、１２２…操作部、１２３…表示部、１２４…記憶部、１２５…ＳＩＮＲ測定部、１２６…ＣＱＩ情報生成部、１２７…ＣＱＩ情報制御部、１２８…ＣＱＩ情報記憶部、１２９…送信データ処理部、１３０…送信データ処理部、１３１…復調部、１３２…レート変換部、１３３…復号部、１３４…誤り検出部、１４１…符号部、１４２…変調部、１５１…割り当て情報取得部、１５２…伝送レート算出部、１５３…伝送レート情報記憶部、２０１…ＧＰＳ用アンテナ、２０２…ＧＰＳ受信部。
【図１】
0005494045.tif 000002
【図２】
0005494045.tif 000003
【図３】
0005494045.tif 000004
【図４】
0005494045.tif 000005
【図５】
0005494045.tif 000006
【図６】
0005494045.tif 000007
【図７】
0005494045.tif 000008
【図８】
0005494045.tif 000009
【図９】
0005494045.tif 000010
【図１０】
0005494045.tif 000011
【図１１】
0005494045.tif 000012
【図１２】
0005494045.tif 000013
【図１３】
0005494045.tif 000014
【図１４】
0005494045.tif 000015
【図１５】
0005494045.tif 000016
【図１６】
0005494045.tif 000017
【図１７】
0005494045.tif 000018
【図１８】
0005494045.tif 000019
【図１９】
0005494045.tif 000020
【図２０】
0005494045.tif 000021
【図２１】
0005494045.tif 000022
【図２２】
0005494045.tif 000023
【図２３】
0005494045.tif 000024
【図２４】
0005494045.tif 000025
【図２５】
0005494045.tif 000026
【図２６】
0005494045.tif 000027
【図２７】
0005494045.tif 000028
【図２８】
0005494045.tif 000029